(57)【要約】本発明の実施形態は、データ伝送方法及びステーションを提供する。本方法は、ステーションが、現在のＴＸＯＰ内にステーションのプライマリＡＣのデータを伝送するステップであって、ステーションの送信対象データは、プライマリＡＣのデータ及び少なくとも１つのセカンダリＡＣのデータを含む、ステップと、プライマリＡＣのデータの送信が完了した後、ステーションが、ＴＸＯＰに残り時間があるか否かを決定するステップと、ＴＸＯＰに残り時間がある場合、ステーションが、残り時間内に、少なくとも１つのセカンダリＡＣのデータを送信するステップと、を含む。本発明の実施形態において提供される方法によれば、チャネルリソースを浪費することなく現在のＴＸＯＰが十分に利用され、よって、ステーションのデータ伝送効率が改善される。
2019505116.tif 000002
【特許請求の範囲】
【請求項１】
データ伝送方法であって、
ステーションが、現在の伝送機会（ＴＸＯＰ）内に前記ステーションのプライマリＡＣのデータを伝送するステップであって、前記ステーションの送信対象データは、前記プライマリＡＣの前記データ及び少なくとも１つのセカンダリＡＣのデータを含む、ステップと、
前記プライマリＡＣの前記データの送信が完了した後、前記ステーションが、前記ＴＸＯＰに残り時間があるか否かを決定するステップと、
前記ＴＸＯＰに残り時間がある場合、前記ステーションが、前記残り時間内に、前記少なくとも１つのセカンダリＡＣの前記データを送信するステップと、
を含む方法。
【請求項２】
前記ステーションが前記残り時間内に前記少なくとも１つのセカンダリＡＣの前記データを送信する前記ステップは、具体的には、
前記ステーションが、前記ステーションの第１のセカンダリＡＣグループ内の第１のセカンダリＡＣの優先順位を決定するステップであって、前記第１のセカンダリＡＣグループは少なくとも１つの第１のセカンダリＡＣを含み、前記第１のセカンダリＡＣは送信対象データに対応するセカンダリＡＣである、ステップと、
前記ステーションが、前記残り時間内に、優先順位の高い順に前記第１のセカンダリＡＣグループ内の前記第１のセカンダリＡＣのデータを順次伝送するステップと、
を含む、請求項１に記載の方法。
【請求項３】
前記ステーションが前記残り時間内に前記少なくとも１つのセカンダリＡＣの前記データを送信する前記ステップは、具体的には、
前記ステーションが、前記少なくとも１つのセカンダリＡＣから、優先度が前記プライマリＡＣの優先度よりも高い第２のセカンダリＡＣグループを決定するステップであって、前記第２のセカンダリＡＣグループは少なくとも１つの第２のセカンダリＡＣを含み、前記第２のセカンダリＡＣは送信対象データに対応するセカンダリＡＣである、ステップと、
前記ステーションが、前記残り時間内に前記第２のセカンダリＡＣグループのデータを送信するステップと、
を含む、請求項１に記載の方法。
【請求項４】
前記ステーションが前記残り時間内に前記第２のセカンダリＡＣグループのデータを送信する前記ステップは、具体的には、
前記ステーションが、前記第２のセカンダリＡＣグループ内の各第２のセカンダリＡＣの優先度を決定するステップと、
前記ステーションが、前記残り時間内に、前記第２のセカンダリＡＣの前記優先度の高い順に、前記第２のセカンダリＡＣのデータを順次伝送するステップと、
を含む、請求項３に記載の方法。
【請求項５】
前記ステーションが現在の伝送機会（ＴＸＯＰ）内に前記ステーションのプライマリＡＣのデータを伝送する前記ステップは、具体的には、
前記ステーションが、前記ＴＸＯＰ内に前記ステーションの第１の集約データを送信するステップであって、前記第１の集約データは、前記少なくとも１つのセカンダリＡＣの前記データと、前記プライマリＡＣの前記データの最後の媒体アクセス制御プロトコルデータユニット（ＭＰＤＵ）とを含む、ステップ、
を含む、請求項１に記載の方法。
【請求項６】
前記ステーションが前記残り時間内に前記少なくとも１つのセカンダリＡＣの前記データを送信する前記ステップは、具体的には、
前記ステーションが、前記残り時間内に第２の集約データを送信するステップであって、前記第２の集約データは、前記少なくとも１つのセカンダリＡＣの中で最も優先度の高い第３のセカンダリＡＣのデータの最後のＭＰＤＵと、前記第３のセカンダリＡＣ以外のセカンダリＡＣのデータとを含む、ステップ、
を含む、請求項５に記載の方法。
【請求項７】
前記ステーションが前記残り時間内に前記少なくとも１つのセカンダリＡＣの前記データを送信する前記ステップは、具体的には、
前記ステーションが、前記残り時間内に第３の集約データを送信するステップであって、前記第３の集約データは、前記セカンダリＡＣの優先度の高いトラフィック識別子（ＴＩＤ）に対応するデータの最後のＭＰＤＵと、前記セカンダリＡＣの優先度の低いＴＩＤに対応するデータの少なくとも１つのＭＰＤＵとを含む、ステップ、
を含む、請求項５に記載の方法。
【請求項８】
前記ステーションが現在の伝送機会（ＴＸＯＰ）内に前記ステーションのプライマリＡＣのデータを伝送する前記ステップの前に、
前記ステーションが、前記プライマリＡＣの識別子を搬送し無線アクセスポイント（ＡＰ）によって送信されたトリガフレーム（ＴＦ）を受信するステップであって、前記ＴＦは、前記ステーションに前記プライマリＡＣの前記データを集約するように指示するのに用いられる、ステップと、
前記ステーションが、前記ＴＦの前記指示に従って、前記プライマリＡＣの送信対象データがあるか否かを決定するステップと、
前記プライマリＡＣの送信対象データがある場合、前記ステーションが、前記プライマリＡＣの前記データを集約して第４の集約データを取得するステップと、
を更に含み、
前記ステーションが現在の伝送機会（ＴＸＯＰ）内に前記ステーションのプライマリＡＣのデータを伝送する前記ステップは、具体的には、
前記ステーションが、前記ＴＸＯＰ内に、前記第４の集約データを前記ＡＰに送信するステップ、
を含む、請求項１に記載の方法。
【請求項９】
前記第４の集約データは、前記少なくとも１つのセカンダリＡＣの前記データと、前記プライマリＡＣの前記データの最後のＭＰＤＵとを含む、
請求項８に記載の方法。
【請求項１０】
前記ＡＰによって送られた任意の１回のＴＦに対応するアップリンク伝送では、各ステーションによって伝送される全ての集約データにおいて、少なくとも１つの集約データ全体が前記プライマリＡＣの前記データから成る場合、前記アップリンク伝送は、前記ＡＰに、次に送られるＴＦにおいて、前記ステーションに次のアップリンク伝送時に前記プライマリＡＣの前記データの集約を継続するように指示することを継続するように指示するのに用いられ、
又は、
前記ＡＰによって送られた任意の１回のＴＦに対応するアップリンク伝送では、各ステーションによって伝送される全ての集約データがセカンダリＡＣのデータを含むとき、前記アップリンク伝送は、前記ＡＰに、次に送られるＴＦにおいて、前記ステーションに次のアップリンク伝送時にセカンダリＡＣのデータを集約するように指示するように指示するのに用いられる、
請求項９に記載の方法。
【請求項１１】
前記ステーションによって伝送される全ての前記集約データは指示フィールドを含み、
前記ＡＰによって送られた任意の１回のＴＦに対応するアップリンク伝送では、各ステーションによって伝送される全ての前記集約データにおいて、少なくとも１つの集約データ全体が前記プライマリＡＣの前記データから成り、且つ少なくとも１つの集約データの指示フィールドが１であるとき、前記指示フィールドは、前記ＡＰに、次に送られるＴＦにおいて、前記ステーションに次のアップリンク伝送時に前記プライマリＡＣの前記データの集約を継続するように指示することを継続するように指示するのに用いられ、
又は、
前記ＡＰによって送られた任意の１回のＴＦに対応するアップリンク伝送では、各ステーションによって伝送される全ての前記集約データのうち、前記プライマリＡＣの前記データを含む集約データの全ての指示フィールドが０であるとき、前記指示フィールドは、前記ＡＰに、次に送られるＴＦにおいて、前記ステーションに次のアップリンク伝送時にセカンダリＡＣのデータを集約するように指示するように指示するのに用いられる、
請求項１０に記載の方法。
【請求項１２】
前記指示フィールドが、前記ＡＰに、次に送られるＴＦにおいて、前記ステーションに次のアップリンク伝送時にセカンダリＡＣのデータを集約するように指示するように指示するのに用いられることは、具体的には、
前記指示フィールドは、前記ＡＰに、次に送られる前記ＴＦにおいて、前記ステーションに、次のアップリンク伝送時に、優先度が前記プライマリＡＣの優先度よりも高いセカンダリＡＣのデータを集約するように指示するように指示するのに用いられ、
又は、
前記指示フィールドは、前記ＡＰに、次に送られる前記ＴＦにおいて、前記ステーションに、次のアップリンク伝送時に最も優先度の高いセカンダリＡＣのデータを集約するように指示するように指示するのに用いられる、
請求項１１に記載の方法。
【請求項１３】
前記ステーションが、前記ＴＦの前記指示に従って、前記プライマリＡＣの送信対象データがないと決定したとき、前記ステーションは前記少なくとも１つのセカンダリＡＣの前記データを集約する、
請求項８に記載の方法。
【請求項１４】
前記ステーションが、前記ＴＦの前記指示に従って、前記プライマリＡＣの送信対象データがないと決定したとき、前記ステーションは前記少なくとも１つのセカンダリＡＣの前記データを集約することは、具体的には、
前記ステーションが、前記ＴＦの前記指示に従って、前記プライマリＡＣの送信対象データがないと決定したとき、前記ステーションは、優先度が前記プライマリＡＣの優先度よりも高いセカンダリＡＣのデータを集約すること、又は、
前記ステーションが、前記ＴＦの前記指示に従って、前記プライマリＡＣの送信対象データがないと決定したとき、前記ステーションは、前記少なくとも１つのセカンダリＡＣの中で最も優先度の高いセカンダリＡＣのデータを集約すること、
を含む、請求項１３に記載の方法。
【請求項１５】
前記ステーションが現在の伝送機会（ＴＸＯＰ）内に前記ステーションのプライマリＡＣのデータを伝送する前記ステップの前に、
前記ステーションが、無線アクセスポイント（ＡＰ）に第１のメッセージを送信するステップであって、前記第１のメッセージは、前記ＡＰが前記第１のメッセージに従って前記ステーションにトリガフレーム（ＴＦ）を送信できるように、前記ＡＰに対して、前記ステーションの各ＡＣの送信対象データがあるか否かを示すのに用いられる、ステップと、
前記ステーションが、前記プライマリＡＣの識別子を搬送し前記ＡＰによって送信された前記ＴＦを受信するステップであって、前記ＴＦは、前記ステーションに前記プライマリＡＣの前記データを集約するように指示するのに用いられる、ステップと、
前記ステーションが、前記ＴＦに従って前記プライマリＡＣの前記データを集約して、第５の集約データを取得するステップと、
を更に含み、
前記ステーションが現在の伝送機会（ＴＸＯＰ）内に前記ステーションのプライマリＡＣのデータを伝送する前記ステップは、具体的には、
前記ステーションが、前記ＴＸＯＰ内に前記第５の集約データを前記ＡＰに送信するステップ、
を含む、請求項１に記載の方法。
【請求項１６】
前記第５の集約データは、前記少なくとも１つのセカンダリＡＣの前記データと、前記プライマリＡＣの前記データの最後のＭＰＤＵとを含む、
請求項１５に記載の方法。
【請求項１７】
前記ステーションによって伝送される全ての集約データは指示フィールドを含み、
前記ＡＰによって送られた任意の１回のＴＦに対応するアップリンク伝送では、各ステーションによって伝送される全ての前記集約データ全体が前記プライマリＡＣの前記データから成り、且つ全ての前記集約データの指示フィールドが１であるとき、前記アップリンク伝送は、前記ＡＰに、次に送られるＴＦにおいて、前記ステーションに、次のアップリンク伝送時に前記プライマリＡＣの前記データの集約を指示することを継続することを指示するのに用いられ、
又は、
前記ＡＰによって送られた任意の１回のＴＦに対応するアップリンク伝送では、各ステーションによって伝送される全ての前記集約データにおいて、少なくとも１つの集約データが前記プライマリＡＣの前記データを含み、且つ前記プライマリＡＣの前記データを含む前記集約データの指示フィールドが０であるとき、また、少なくとも１つの集約データが前記プライマリＡＣの前記データを含み、且つ前記プライマリＡＣの前記データを含む前記集約データの指示フィールドが１であるとき、前記アップリンク伝送は、前記ＡＰに、次に送られるＴＦにおいて、前記ステーションに、次のアップリンク伝送時に前記プライマリＡＣの前記データの集約又は前記プライマリＡＣの前記データ及びセカンダリＡＣのデータの集約を指示するように指示するのに用いられ、
又は、
前記ＡＰによって送られた任意の１回のＴＦに対応するアップリンク伝送では、各ステーションによって伝送される全ての前記集約データにおいて、少なくとも１つの集約データが前記プライマリＡＣの前記データを含まないとき、また、少なくとも１つの集約データが前記プライマリＡＣの前記データを含み、且つ前記プライマリＡＣの前記データを含む前記集約データの指示フィールドが１であるとき、前記アップリンク伝送は、前記ＡＰに、次に送られるＴＦにおいて、前記ステーションに、次のアップリンク伝送時に前記プライマリＡＣの前記データの集約又は前記プライマリＡＣの前記データ及びセカンダリＡＣのデータの集約を指示するように指示するのに用いられ、
又は、
前記ＡＰによって送られた任意の１回のＴＦに対応するアップリンク伝送では、各ステーションによって伝送される全ての前記集約データにおいて、少なくとも１つの集約データが前記プライマリＡＣの前記データを含み、且つ前記プライマリＡＣの前記データを含む前記集約データの指示フィールドが０であるとき、若しくは、どの前記集約データも前記プライマリＡＣの前記データを含まないとき、前記アップリンク伝送は、前記ＡＰに、次に送られるＴＦにおいて、前記ステーションに次のアップリンク伝送時にセカンダリＡＣのデータを集約するように指示するように指示するのに用いられる、
請求項１６に記載の方法。
【請求項１８】
前記ＡＰによって送られた任意の１回のＴＦに対応するアップリンク伝送では、各ステーションによって伝送される全ての集約データ全体が前記プライマリＡＣの前記データから成るとき、前記アップリンク伝送は、前記ＡＰに、次に送られるＴＦにおいて、前記ステーションに、次のアップリンク伝送時に前記プライマリＡＣの前記データの集約を指示することを継続することを指示するのに用いられ、
又は、
前記ＡＰによって送られた任意の１回のＴＦに対応するアップリンク伝送では、各ステーションによって伝送される全ての集約データにおいて、少なくとも１つの集約データ全体が前記プライマリＡＣの前記データから成り、且つ少なくとも１つの集約データがセカンダリＡＣのデータを含むとき、前記アップリンク伝送は、前記ＡＰに、次に送られるＴＦにおいて、前記ステーションが、次のアップリンク伝送時に、前記プライマリＡＣの前記データ及びセカンダリＡＣのデータを集約するように指示するように指示するのに用いられ、
又は、
前記ＡＰによって送られた任意の１回のＴＦに対応するアップリンク伝送では、各ステーションによって伝送される全ての集約データがセカンダリＡＣのデータを含むとき、前記アップリンク伝送は、前記ＡＰに、次に送られるＴＦにおいて、前記ステーションに、次のアップリンク伝送時に１つ以上のセカンダリＡＣのデータを集約するように指示するように指示するのに用いられる、
請求項１６に記載の方法。
【請求項１９】
現在の伝送機会（ＴＸＯＰ）内に前記ステーションのプライマリＡＣのデータを伝送するように構成される送受信モジュールであって、前記ステーションの送信対象データは、前記プライマリＡＣの前記データ及び少なくとも１つのセカンダリＡＣのデータを含む、送受信モジュールと、
前記プライマリＡＣの前記データの送信が完了した後、前記ＴＸＯＰに残り時間があるか否かを決定するように構成される第１の決定モジュールと、
を備えるステーションであって、
前記送受信モジュールは更に、前記第１の決定モジュールが前記ＴＸＯＰに残り時間があると決定したとき、前記残り時間内に前記少なくとも１つのセカンダリＡＣの前記データを伝送するように構成される、
ステーション。
【請求項２０】
前記送受信モジュールは、具体的には、前記ステーションの第１のセカンダリＡＣグループ内の第１のセカンダリＡＣの優先順位を決定し、前記残り時間内に、優先順位の高い順に、前記第１のセカンダリＡＣグループ内の前記第１のセカンダリＡＣのデータを順次伝送するように構成され、
前記第１のセカンダリＡＣグループは少なくとも１つの第１のセカンダリＡＣを含み、前記第１のセカンダリＡＣは送信対象データに対応するセカンダリＡＣである、
請求項１９に記載のステーション。
【請求項２１】
前記送受信モジュールが前記残り時間内に前記少なくとも１つのセカンダリＡＣの前記データを伝送するように構成されることは、
前記送受信モジュールが、具体的には、前記少なくとも１つのセカンダリＡＣから、優先度が前記プライマリＡＣの優先度よりも高い第２のセカンダリＡＣグループを決定し、前記残り時間内に前記第２のセカンダリＡＣグループのデータを伝送するように構成されることを含み、
前記第２のセカンダリＡＣグループは少なくとも１つの第２のセカンダリＡＣを含み、前記第２のセカンダリＡＣは送信対象データに対応するセカンダリＡＣである、
請求項１９に記載のステーション。
【請求項２２】
前記送受信モジュールが具体的には前記残り時間内に前記第２のセカンダリＡＣグループの前記データを伝送するように構成されることは、
前記送受信モジュールが、具体的には、前記第２のセカンダリＡＣグループ内の各第２のセカンダリＡＣの優先度を決定し、前記残り時間内に、前記第２のセカンダリＡＣの前記優先度の高い順に、前記第２のセカンダリＡＣのデータを順次伝送するように構成されること、
を含む、請求項２１に記載のステーション。
【請求項２３】
前記送受信モジュールが前記現在の伝送機会（ＴＸＯＰ）内に前記ステーションの前記プライマリＡＣの前記データを伝送するように構成されることは、
前記送受信モジュールが、具体的には、前記ＴＸＯＰ内に前記ステーションの第１の集約データを伝送するように構成されることを含み、前記第１の集約データは、前記少なくとも１つのセカンダリＡＣの前記データと、前記プライマリＡＣの前記データの最後の媒体アクセス制御プロトコルデータユニット（ＭＰＤＵ）とを含む、
請求項１９に記載のステーション。
【請求項２４】
前記送受信モジュールが前記残り時間内に前記少なくとも１つのセカンダリＡＣの前記データを伝送するように構成されることは、
前記送受信モジュールが、具体的には、前記残り時間内に第２の集約データを伝送するように構成されることを含み、前記第２の集約データは、前記少なくとも１つのセカンダリＡＣの中で最も優先度の高い第３のセカンダリＡＣのデータの最後のＭＰＤＵと、前記第３のセカンダリＡＣ以外のセカンダリＡＣのデータとを含む、
請求項２３に記載のステーション。
【請求項２５】
前記送受信モジュールが前記残り時間内に前記少なくとも１つのセカンダリＡＣの前記データを伝送するように構成されることは、
前記送受信モジュールが、具体的には、前記残り時間内に第３の集約データを伝送するように構成されることを含み、前記第３の集約データは、前記セカンダリＡＣの優先度の高いトラフィック識別子（ＴＩＤ）に対応するデータの最後のＭＰＤＵと、前記セカンダリＡＣの優先度の低いＴＩＤに対応するデータの少なくとも１つのＭＰＤＵとを含む、
請求項２３に記載のステーション。
【請求項２６】
第２の決定モジュール及び第１の集約モジュールを更に備え、
前記送受信モジュールは、更に、前記現在の伝送機会（ＴＸＯＰ）内に前記ステーションの前記プライマリＡＣの前記データを伝送する前に、前記プライマリＡＣの識別子を搬送し無線アクセスポイント（ＡＰ）によって送信されたトリガフレーム（ＴＦ）を受信するように構成され、前記ＴＦは、前記ステーションに前記プライマリＡＣの前記データを集約するように指示するのに用いられ、
前記第２の決定モジュールは、前記ＴＦの前記指示に従って、前記プライマリＡＣの送信対象データがあるか否かを決定するように構成され、
前記第１の集約モジュールは、前記第２の決定モジュールが前記プライマリＡＣの送信対象データがあると決定したとき、前記プライマリＡＣの前記データを集約して第４の集約データを取得するように構成され、
前記送受信モジュールが前記現在の伝送機会（ＴＸＯＰ）内に前記ステーションの前記プライマリＡＣの前記データを伝送するように構成されることは、
前記送受信モジュールが、具体的には、前記ＴＸＯＰ内に前記第４の集約データを前記ＡＰに送信するように構成されること、
を含む、請求項１９に記載のステーション。
【請求項２７】
前記第４の集約データは、前記少なくとも１つのセカンダリＡＣの前記データと、前記プライマリＡＣの前記データの最後のＭＰＤＵとを含む、
請求項２６に記載のステーション。
【請求項２８】
前記ＡＰによって送られた任意の１回のＴＦに対応するアップリンク伝送では、各ステーションによって伝送される全ての集約データにおいて、少なくとも１つの集約データ全体が前記プライマリＡＣの前記データから成る場合、前記アップリンク伝送は、前記ＡＰに、次に送られるＴＦにおいて、前記ステーションに次のアップリンク伝送時に前記プライマリＡＣの前記データの集約を継続するように指示することを継続するように指示するのに用いられ、
又は、
前記ＡＰによって送られた任意の１回のＴＦに対応するアップリンク伝送では、各ステーションによって伝送される全ての集約データがセカンダリＡＣのデータを含むとき、前記アップリンク伝送は、前記ＡＰに、次に送られるＴＦにおいて、前記ステーションに次のアップリンク伝送時にセカンダリＡＣのデータを集約するように指示するように指示するのに用いられる、
請求項２７に記載のステーション。
【請求項２９】
前記ステーションによって伝送される全ての前記集約データは指示フィールドを含み、
前記ＡＰによって送られた任意の１回のＴＦに対応するアップリンク伝送では、各ステーションによって伝送される全ての前記集約データにおいて、少なくとも１つの集約データ全体が前記プライマリＡＣの前記データから成り、且つ少なくとも１つの集約データの指示フィールドが１であるとき、前記指示フィールドは、前記ＡＰに、次に送られるＴＦにおいて、前記ステーションに次のアップリンク伝送時に前記プライマリＡＣの前記データの集約を継続するように指示することを継続するように指示するのに用いられ、
又は、
前記ＡＰによって送られた任意の１回のＴＦに対応するアップリンク伝送では、各ステーションによって伝送される全ての前記集約データのうち、前記プライマリＡＣの前記データを含む集約データの全ての指示フィールドが０であるとき、前記指示フィールドは、前記ＡＰに、次に送られるＴＦにおいて、前記ステーションに次のアップリンク伝送時にセカンダリＡＣのデータを集約するように指示するように指示するのに用いられる、
請求項２８に記載のステーション。
【請求項３０】
前記指示フィールドが、前記ＡＰに、次に送られるＴＦにおいて、前記ステーションに次のアップリンク伝送時にセカンダリＡＣのデータを集約するように指示するように指示するのに用いられることは、具体的には、
前記指示フィールドが、前記ＡＰに、次に送られる前記ＴＦにおいて、前記ステーションに、次のアップリンク伝送時に、優先度が前記プライマリＡＣの優先度よりも高いセカンダリＡＣのデータを集約するように指示するように指示するのに用いられること、
又は、
前記指示フィールドが、前記ＡＰに、次に送られる前記ＴＦにおいて、前記ステーションに、次のアップリンク伝送時に最も優先度の高いセカンダリＡＣのデータを集約するように指示するように指示するのに用いられること、
を含む、請求項２９に記載のステーション。
【請求項３１】
前記第１の集約モジュールは更に、前記第２の決定モジュールが前記プライマリＡＣの送信対象データがないと決定したとき、前記少なくとも１つのセカンダリＡＣの前記データを集約するように構成される、
請求項２６に記載のステーション。
【請求項３２】
前記第１の集約モジュールは、具体的には、前記第２の決定モジュールが前記ＴＦの前記指示に従って、前記プライマリＡＣの送信対象データがないと決定したとき、優先度が前記プライマリＡＣの優先度よりも高いセカンダリＡＣのデータを集約するように構成され、又は、前記第２の決定モジュールが前記ＴＦの前記指示に従って、前記プライマリＡＣの送信対象データがないと決定したとき、前記少なくとも１つのセカンダリＡＣの中で最も優先度の高いセカンダリＡＣのデータを集約するように構成される、
請求項３１に記載のステーション。
【請求項３３】
第２の集約モジュールを更に備え、
前記送受信モジュールは更に、前記現在の伝送機会（ＴＸＯＰ）内に前記ステーションの前記プライマリＡＣの前記データを伝送する前に、無線アクセスポイント（ＡＰ）に第１のメッセージを送信し、前記プライマリＡＣの識別子を搬送し前記ＡＰによって送信されたＴＦを受信するように構成され、前記第１のメッセージは、前記ＡＰが前記第１のメッセージに従って前記トリガフレーム（ＴＦ）を前記ステーションを送信できるように、前記ＡＰに対して、前記ステーションの各ＡＣの送信対象データがあるか否かを示すのに用いられ、前記ＴＦは、前記ステーションに前記プライマリＡＣの前記データを集約するように指示するのに用いられ、
前記第２の集約モジュールは、前記ＴＦに従って前記プライマリＡＣの前記データを集約して、第５の集約データを取得するように構成され、
前記送受信モジュールが前記現在の伝送機会（ＴＸＯＰ）内に前記ステーションの前記プライマリＡＣの前記データを伝送するように構成されることは、
前記送受信モジュールが、具体的には、前記ＴＸＯＰ内に前記第５の集約データを前記ＡＰに送信するように構成されること、
を含む、請求項１９に記載のステーション。
【請求項３４】
前記第５の集約データは、前記少なくとも１つのセカンダリＡＣの前記データと、前記プライマリＡＣの前記データの最後のＭＰＤＵとを含む、
請求項３３に記載のステーション。
【請求項３５】
前記ステーションによって伝送される全ての集約データは指示フィールドを含み、
前記ＡＰによって送られた任意の１回のＴＦに対応するアップリンク伝送では、各ステーションによって伝送される全ての前記集約データ全体が前記プライマリＡＣの前記データから成り、且つ全ての前記集約データの指示フィールドが１であるとき、前記アップリンク伝送は、前記ＡＰに、次に送られるＴＦにおいて、前記ステーションに、次のアップリンク伝送時に前記プライマリＡＣの前記データの集約を指示することを継続することを指示するのに用いられ、
又は、
前記ＡＰによって送られた任意の１回のＴＦに対応するアップリンク伝送では、各ステーションによって伝送される全ての前記集約データにおいて、少なくとも１つの集約データが前記プライマリＡＣの前記データを含み、且つ前記プライマリＡＣの前記データを含む前記集約データの指示フィールドが０であるとき、また、少なくとも１つの集約データが前記プライマリＡＣの前記データを含み、且つ前記プライマリＡＣの前記データを含む前記集約データの指示フィールドが１であるとき、前記アップリンク伝送は、前記ＡＰに、次に送られるＴＦにおいて、前記ステーションに、次のアップリンク伝送時に前記プライマリＡＣの前記データの集約又は前記プライマリＡＣの前記データ及びセカンダリＡＣのデータの集約を指示するように指示するのに用いられ、
又は、
前記ＡＰによって送られた任意の１回のＴＦに対応するアップリンク伝送では、各ステーションによって伝送される全ての前記集約データにおいて、少なくとも１つの集約データが前記プライマリＡＣの前記データを含まないとき、また、少なくとも１つの集約データが前記プライマリＡＣの前記データを含み、且つ前記プライマリＡＣの前記データを含む前記集約データの指示フィールドが１であるとき、前記アップリンク伝送は、前記ＡＰに、次に送られるＴＦにおいて、前記ステーションに、次のアップリンク伝送時に前記プライマリＡＣの前記データの集約又は前記プライマリＡＣの前記データ及びセカンダリＡＣのデータの集約を指示するように指示するのに用いられ、
又は、
前記ＡＰによって送られた任意の１回のＴＦに対応するアップリンク伝送では、各ステーションによって伝送される全ての前記集約データにおいて、少なくとも１つの集約データが前記プライマリＡＣの前記データを含み、且つ前記プライマリＡＣの前記データを含む前記集約データの指示フィールドが０であるとき、若しくは、どの前記集約データも前記プライマリＡＣの前記データを含まないとき、前記アップリンク伝送は、前記ＡＰに、次に送られるＴＦにおいて、前記ステーションに次のアップリンク伝送時にセカンダリＡＣのデータを集約するように指示するように指示するのに用いられる、
請求項３４に記載のステーション．
【請求項３６】
前記ＡＰによって送られた任意の１回のＴＦに対応するアップリンク伝送では、各ステーションによって伝送される全ての集約データ全体が前記プライマリＡＣの前記データから成るとき、前記アップリンク伝送は、前記ＡＰに、次に送られるＴＦにおいて、前記ステーションに、次のアップリンク伝送時に前記プライマリＡＣの前記データの集約を指示することを継続することを指示するのに用いられ、
又は、
前記ＡＰによって送られた任意の１回のＴＦに対応するアップリンク伝送では、各ステーションによって伝送される全ての集約データにおいて、少なくとも１つの集約データ全体が前記プライマリＡＣの前記データから成り、且つ少なくとも１つの集約データがセカンダリＡＣのデータを含むとき、前記アップリンク伝送は、前記ＡＰに、次に送られるＴＦにおいて、前記ステーションが、次のアップリンク伝送時に、前記プライマリＡＣの前記データ及びセカンダリＡＣのデータを集約するように指示するように指示するのに用いられ、
又は、
前記ＡＰによって送られた任意の１回のＴＦに対応するアップリンク伝送では、各ステーションによって伝送される全ての集約データがセカンダリＡＣのデータを含むとき、前記アップリンク伝送は、前記ＡＰに、次に送られるＴＦにおいて、前記ステーションに、次のアップリンク伝送時に１つ以上のセカンダリＡＣのデータを集約するように指示するように指示するのに用いられる、
請求項３４に記載のステーション。
【請求項３７】
現在の伝送機会（ＴＸＯＰ）内に前記ステーションのプライマリＡＣのデータを伝送するように構成される送受信部であって、前記ステーションの送信対象データは、前記プライマリＡＣの前記データ及び少なくとも１つのセカンダリＡＣのデータを含む、送受信部と、
前記プライマリＡＣの前記データの送信が完了した後、前記ステーションにより、前記ＴＸＯＰに残り時間があるか否かを決定するように構成されるプロセッサと、
を備えるステーションであって、
前記送受信部は更に、前記プロセッサが前記ＴＸＯＰに残り時間があると決定したとき、前記残り時間内に前記少なくとも１つのセカンダリＡＣの前記データを伝送するように構成される、
ステーション。
【請求項３８】
前記送受信部が前記残り時間内に前記少なくとも１つのセカンダリＡＣの前記データを伝送するように構成されることは、
前記送受信部が、具体的には、前記ステーションの第１のセカンダリＡＣグループ内の第１のセカンダリＡＣの優先順位を決定し、前記残り時間内に、優先順位の高い順に、前記第１のセカンダリＡＣグループ内の前記第１のセカンダリＡＣのデータを順次伝送するように構成されることを含み、前記第１のセカンダリＡＣグループは少なくとも１つの第１のセカンダリＡＣを含み、前記第１のセカンダリＡＣは送信対象データに対応するセカンダリＡＣである、
請求項３７に記載のステーション。
【請求項３９】
前記送受信部が前記残り時間内に前記少なくとも１つのセカンダリＡＣの前記データを伝送するように構成されることは、
前記送受信部が、具体的には、前記少なくとも１つのセカンダリＡＣから、優先度が前記プライマリＡＣの優先度よりも高い第２のセカンダリＡＣグループを決定し、前記残り時間内に前記第２のセカンダリＡＣグループのデータを伝送するように構成されることを含み、前記第２のセカンダリＡＣグループは少なくとも１つの第２のセカンダリＡＣを含み、前記第２のセカンダリＡＣは送信対象データに対応するセカンダリＡＣである、
請求項３７に記載のステーション。
【請求項４０】
前記送受信部が具体的には前記残り時間内に前記第２のセカンダリＡＣグループの前記データを伝送するように構成されることは、
前記送受信部が、具体的には、前記第２のセカンダリＡＣグループ内の各第２のセカンダリＡＣの優先度を決定し、前記残り時間内に、前記第２のセカンダリＡＣの前記優先度の高い順に、前記第２のセカンダリＡＣのデータを順次伝送するように構成されることを含む、
請求項３９に記載のステーション。
【請求項４１】
前記送受信部が前記現在の伝送機会（ＴＸＯＰ）内に前記ステーションの前記プライマリＡＣの前記データを伝送するように構成されることは、
前記送受信部が、具体的には、前記ＴＸＯＰ内に前記ステーションの第１の集約データを伝送するように構成されることを含み、前記第１の集約データは、前記少なくとも１つのセカンダリＡＣの前記データと、前記プライマリＡＣの前記データの最後の媒体アクセス制御プロトコルデータユニット（ＭＰＤＵ）とを含む、
請求項３７に記載のステーション。
【請求項４２】
前記送受信部が前記残り時間内に前記少なくとも１つのセカンダリＡＣの前記データを伝送するように構成されることは、
前記送受信部が、具体的には、前記残り時間内に第２の集約データを伝送するように構成されることを含み、前記第２の集約データは、前記少なくとも１つのセカンダリＡＣの中で最も優先度の高い第３のセカンダリＡＣのデータの最後のＭＰＤＵと、前記第３のセカンダリＡＣ以外のセカンダリＡＣのデータとを含む、
請求項４１に記載のステーション。
【請求項４３】
前記送受信部が前記残り時間内に前記少なくとも１つのセカンダリＡＣの前記データを伝送するように構成されることは、
前記送受信部が、具体的には、前記残り時間内に第３の集約データを伝送するように構成される含み、前記第３の集約データは、前記セカンダリＡＣの優先度の高いトラフィック識別子（ＴＩＤ）に対応するデータの最後のＭＰＤＵと、前記セカンダリＡＣの優先度の低いＴＩＤに対応するデータの少なくとも１つのＭＰＤＵとを含む、
請求項４１に記載のステーション。
【請求項４４】
前記送受信部は更に、前記現在の伝送機会（ＴＸＯＰ）内に前記ステーションの前記プライマリＡＣの前記データを伝送する前に、前記プライマリＡＣの識別子を搬送し無線アクセスポイント（ＡＰ）によって送信されたトリガフレーム（ＴＦ）を受信するように構成され、前記ＴＦは、前記ステーションに前記プライマリＡＣの前記データを集約するように指示するのに用いられ、
前記プロセッサは更に、前記ＴＦの前記指示に従って、前記プライマリＡＣの送信対象データがあるか否かを決定し、前記プライマリＡＣの送信対象データがあると決定したとき、前記プライマリＡＣの前記データを集約して第４の集約データを取得するように構成され、
前記送受信部が前記現在の伝送機会（ＴＸＯＰ）内に前記ステーションの前記プライマリＡＣの前記データを伝送するように構成されることは、
前記送受信部が、具体的には、前記ＴＸＯＰ内に前記第４の集約データを前記ＡＰに送信するように構成されることを含む、
請求項３７に記載のステーション。
【請求項４５】
前記第４の集約データは、前記少なくとも１つのセカンダリＡＣの前記データと、前記プライマリＡＣの前記データの最後のＭＰＤＵとを含む、
請求項４４に記載のステーション。
【請求項４６】
前記ＡＰによって送られた任意の１回のＴＦに対応するアップリンク伝送では、各ステーションによって伝送される全ての集約データにおいて、少なくとも１つの集約データ全体が前記プライマリＡＣの前記データから成る場合、前記アップリンク伝送は、前記ＡＰに、次に送られるＴＦにおいて、前記ステーションに次のアップリンク伝送時に前記プライマリＡＣの前記データの集約を継続するように指示することを継続するように指示するのに用いられ、
又は、
前記ＡＰによって送られた任意の１回のＴＦに対応するアップリンク伝送では、各ステーションによって伝送される全ての集約データがセカンダリＡＣのデータを含むとき、前記アップリンク伝送は、前記ＡＰに、次に送られるＴＦにおいて、前記ステーションに次のアップリンク伝送時にセカンダリＡＣのデータを集約するように指示するように指示するのに用いられる、
請求項４５に記載のステーション。
【請求項４７】
前記ステーションによって伝送される全ての前記集約データは指示フィールドを含み、
前記ＡＰによって送られた任意の１回のＴＦに対応するアップリンク伝送では、各ステーションによって伝送される全ての前記集約データにおいて、少なくとも１つの集約データ全体が前記プライマリＡＣの前記データから成り、且つ少なくとも１つの集約データの指示フィールドが１であるとき、前記指示フィールドは、前記ＡＰに、次に送られるＴＦにおいて、前記ステーションに次のアップリンク伝送時に前記プライマリＡＣの前記データの集約を継続するように指示することを継続するように指示するのに用いられ、
又は、
前記ＡＰによって送られた任意の１回のＴＦに対応するアップリンク伝送では、各ステーションによって伝送される全ての前記集約データのうち、前記プライマリＡＣの前記データを含む集約データの全ての指示フィールドが０であるとき、前記指示フィールドは、前記ＡＰに、次に送られるＴＦにおいて、前記ステーションに次のアップリンク伝送時にセカンダリＡＣのデータを集約するように指示するように指示するのに用いられる、
請求項４６に記載のステーション。
【請求項４８】
前記指示フィールドが、前記ＡＰに、次に送られるＴＦにおいて、前記ステーションに次のアップリンク伝送時にセカンダリＡＣのデータを集約するように指示するように指示するのに用いられることは、具体的には、
前記指示フィールドが、前記ＡＰに、次に送られる前記ＴＦにおいて、前記ステーションに、次のアップリンク伝送時に、優先度が前記プライマリＡＣの優先度よりも高いセカンダリＡＣのデータを集約するように指示するように指示するのに用いられること、
又は、
前記指示フィールドが、前記ＡＰに、次に送られる前記ＴＦにおいて、前記ステーションに、次のアップリンク伝送時に最も優先度の高いセカンダリＡＣのデータを集約するように指示するように指示するのに用いられること、
を含む、請求項４７に記載のステーション。
【請求項４９】
前記プロセッサは更に、前記プライマリＡＣの送信対象データがないと決定したとき、前記少なくとも１つのセカンダリＡＣの前記データを集約するように構成される、
請求項４４に記載のステーション。
【請求項５０】
前記プロセッサは、具体的には、前記ＴＦの前記指示に従って前記プライマリＡＣの送信対象データがないと決定したとき、優先度が前記プライマリＡＣの優先度よりも高いセカンダリＡＣのデータを集約するように構成され、又は、前記ＴＦの前記指示に従って前記プライマリＡＣの送信対象データがないと決定したとき、前記少なくとも１つのセカンダリＡＣの中で最も優先度の高いセカンダリＡＣのデータを集約するように構成される、
請求項４９に記載のステーション。
【請求項５１】
前記送受信部は更に、前記現在の伝送機会（ＴＸＯＰ）内に前記ステーションの前記プライマリＡＣの前記データを伝送する前に、無線アクセスポイント（ＡＰ）に第１のメッセージを送信し、前記プライマリＡＣの識別子を搬送し前記ＡＰによって送信されたＴＦを受信するように構成され、前記第１のメッセージは、前記ＡＰが前記第１のメッセージに従って前記トリガフレーム（ＴＦ）を前記ステーションを送信できるように、前記ＡＰに対して、前記ステーションの各ＡＣの送信対象データがあるか否かを示すのに用いられ、前記ＴＦは、前記ステーションに前記プライマリＡＣの前記データを集約するように指示するのに用いられ、
前記プロセッサは更に、前記ＴＦに従って前記プライマリＡＣの前記データを集約して、第５の集約データを取得するように構成され、
前記送受信部が前記現在の伝送機会（ＴＸＯＰ）内に前記ステーションの前記プライマリＡＣの前記データを伝送するように構成されることは、
前記送受信部が、具体的には、前記ＴＸＯＰ内に前記第５の集約データを前記ＡＰに送信するように構成されることを含む、
請求項３７に記載のステーション。
【請求項５２】
前記第５の集約データは、前記少なくとも１つのセカンダリＡＣの前記データと、前記プライマリＡＣの前記データの最後のＭＰＤＵとを含む、
請求項５１に記載のステーション。
【請求項５３】
前記ステーションによって伝送される全ての集約データは指示フィールドを含み、
前記ＡＰによって送られた任意の１回のＴＦに対応するアップリンク伝送では、各ステーションによって伝送される全ての前記集約データ全体が前記プライマリＡＣの前記データから成り、且つ全ての前記集約データの指示フィールドが１であるとき、前記アップリンク伝送は、前記ＡＰに、次に送られるＴＦにおいて、前記ステーションに、次のアップリンク伝送時に前記プライマリＡＣの前記データの集約を指示することを継続することを指示するのに用いられ、
又は、
前記ＡＰによって送られた任意の１回のＴＦに対応するアップリンク伝送では、各ステーションによって伝送される全ての前記集約データにおいて、少なくとも１つの集約データが前記プライマリＡＣの前記データを含み、且つ前記プライマリＡＣの前記データを含む前記集約データの指示フィールドが０であるとき、また、少なくとも１つの集約データが前記プライマリＡＣの前記データを含み、且つ前記プライマリＡＣの前記データを含む前記集約データの指示フィールドが１であるとき、前記アップリンク伝送は、前記ＡＰに、次に送られるＴＦにおいて、前記ステーションに、次のアップリンク伝送時に前記プライマリＡＣの前記データの集約又は前記プライマリＡＣの前記データ及びセカンダリＡＣのデータの集約を指示するように指示するのに用いられ、
又は、
前記ＡＰによって送られた任意の１回のＴＦに対応するアップリンク伝送では、各ステーションによって伝送される全ての前記集約データにおいて、少なくとも１つの集約データが前記プライマリＡＣの前記データを含まないとき、また、少なくとも１つの集約データが前記プライマリＡＣの前記データを含み、且つ前記プライマリＡＣの前記データを含む前記集約データの指示フィールドが１であるとき、前記アップリンク伝送は、前記ＡＰに、次に送られるＴＦにおいて、前記ステーションに、次のアップリンク伝送時に前記プライマリＡＣの前記データの集約又は前記プライマリＡＣの前記データ及びセカンダリＡＣのデータの集約を指示するように指示するのに用いられ、
又は、
前記ＡＰによって送られた任意の１回のＴＦに対応するアップリンク伝送では、各ステーションによって伝送される全ての前記集約データにおいて、少なくとも１つの集約データが前記プライマリＡＣの前記データを含み、且つ前記プライマリＡＣの前記データを含む前記集約データの指示フィールドが０であるとき、若しくは、どの前記集約データも前記プライマリＡＣの前記データを含まないとき、前記アップリンク伝送は、前記ＡＰに、次に送られるＴＦにおいて、前記ステーションに次のアップリンク伝送時にセカンダリＡＣのデータを集約するように指示するように指示するのに用いられる、
請求項５２に記載のステーション。
【請求項５４】
前記ＡＰによって送られた任意の１回のＴＦに対応するアップリンク伝送では、各ステーションによって伝送される全ての集約データ全体が前記プライマリＡＣの前記データから成るとき、前記アップリンク伝送は、前記ＡＰに、次に送られるＴＦにおいて、前記ステーションに、次のアップリンク伝送時に前記プライマリＡＣの前記データの集約を指示することを継続することを指示するのに用いられ、
又は、
前記ＡＰによって送られた任意の１回のＴＦに対応するアップリンク伝送では、各ステーションによって伝送される全ての集約データにおいて、少なくとも１つの集約データ全体が前記プライマリＡＣの前記データから成り、且つ少なくとも１つの集約データがセカンダリＡＣのデータを含むとき、前記アップリンク伝送は、前記ＡＰに、次に送られるＴＦにおいて、前記ステーションが、次のアップリンク伝送時に、前記プライマリＡＣの前記データ及びセカンダリＡＣのデータを集約するように指示するように指示するのに用いられ、
又は、
前記ＡＰによって送られた任意の１回のＴＦに対応するアップリンク伝送では、各ステーションによって伝送される全ての集約データがセカンダリＡＣのデータを含むとき、前記アップリンク伝送は、前記ＡＰに、次に送られるＴＦにおいて、前記ステーションに、次のアップリンク伝送時に１つ以上のセカンダリＡＣのデータを集約するように指示するように指示するのに用いられる、
請求項５２に記載のステーション。
【発明の詳細な説明】
【技術分野】
【０００１】
本願は、２０１５年１２月１５日に中国特許庁に提出された「データ伝送方法及びステーション」と題された中国特許出願第２０１５１０９３２３９０．０号に対する優先権を主張し、その全体が参照により本明細書に組み込まれる。
【０００２】
本発明の実施形態は、通信技術に関し、特に、データ伝送方法及びステーションに関する。
【背景技術】
【０００３】
既存の電気電子技術者協会（Institute  for  Electrical  and  Electronics  Engineers，略称ＩＥＥＥ）の８０２．１１規格では、無線ローカルエリアネットワーク（Wireless  Local  Area  Network，略称ＷＬＡＮ）にアクセス可能なステーション内部に複数のキャッシュキュー（現在は４つのキャッシュキュー）が存在し、ステーションは、異なる優先順位を持つサービスデータを異なるキャッシュキューに一時的に記憶する。各キャッシュキューは、１つのアクセスカテゴリ（Access  Category、略称ＡＣ）に関連付けられ、優先度の高いサービスデータは、ステーションにより、優先度の高いＡＣに対応するキャッシュキューに一時的に記憶される。各ＡＣは、１つのバックオフカウンタを維持するために用いられ、これは、伝送チャネルの競合をおこなうように構成される。加えて、ＡＣは、ステーションの拡張分散チャネルアクセス機能（Enhanced  Distributed  Channel  Access  Function，略称ＥＤＣＡＦ）に対応する。ＥＤＣＡＦは、ステーションの論理的機能モジュールであり、いつＥＤＣＡＦに対応するＡＣのデータが送信されるかを制御するように構成される。一般に、ステーションがＡＣのデータを伝送する必要があるとき、ＡＣのデータを伝送するために、ステーションはチャネルについて別のステーションと競合する必要がある。ステーションによるリスニングによって取得されたクリアチャネルアセスメント（Clear  Channel  Assessment，略称ＣＣＡ）結果が、チャネルがアイドル状態であることであるとき、バックオフカウンタがバックオフを開始する。ステーションが伝送する必要のあるデータに対応するＡＣを用いて維持されるバックオフカウンタが０に戻ると、ステーションは、ＡＣのデータを伝送するために、フレーム交換手順を初期化することにより、伝送機会（Transmission  Opportunity，略称ＴＸＯＰ）を取得する。ＴＸＯＰは、ステーションによってチャネルを占用する時間長である。
【０００４】
現在、ＩＥＥＥ８０２．１１規格の実装は以下のとおりである。すなわち、ＡＣのＴＸＯＰを取得した後、ステーションはＡＣのデータを１回又は複数回伝送することができる。ＡＣのデータの伝送が完了した後、ＣＦ−Ｅｎｄフレームを送信することにより、チャネルが解放される。
【０００５】
しかしながら、従来技術のデータ伝送方法では、競合によりチャネルが取得されたＡＣに対応するデータの伝送後にチャネルが解放されるので、チャネルリソースが浪費され、更にシステムのデータ伝送効率に影響が及ぼされる。
【発明の概要】
【０００６】
従来技術において、ＡＣのデータの伝送が完了したがまだＴＸＯＰに残り時間があるときにチャネルが直接解放されるために、チャネルリソースが浪費され、ステーションの伝送効率が低下するという従来技術の技術的課題を解決するために、本発明の実施形態は、データ伝送方法及びステーションを提供する。
【０００７】
第１の態様によれば、本発明の実施形態はデータ伝送方法を提供する。本方法は、
ステーションが、現在の伝送機会（ＴＸＯＰ）内にステーションのプライマリＡＣのデータを伝送するステップであって、ステーションの送信対象データは、プライマリＡＣのデータ及び少なくとも１つのセカンダリＡＣのデータを含む、ステップと、
プライマリＡＣのデータの送信が完了した後、ステーションが、ＴＸＯＰに残り時間があるか否かを決定するステップと、
ＴＸＯＰに残り時間がある場合、ステーションが、残り時間内に、少なくとも１つのセカンダリＡＣのデータを送信するステップと、
を含む。
【０００８】
第１の態様において提供されるデータ伝送方法によれば、プライマリＡＣのデータの伝送が完了し、且つまだ現在のＴＸＯＰに残り時間があるとき、チャネルリソースが浪費されることなく現在のＴＸＯＰが十分に利用されるように、ステーションは、残り時間内に、ステーションのセカンダリＡＣのデータを伝送する。よって、ステーションのデータ伝送効率が改善される。
【０００９】
第１の態様に関して、第１の態様の第１の可能な実施では、ステーションが残り時間内に少なくとも１つのセカンダリＡＣのデータを送信するステップは、具体的には、
ステーションが、ステーションの第１のセカンダリＡＣグループ内の第１のセカンダリＡＣの優先順位を決定するステップであって、第１のセカンダリＡＣグループは少なくとも１つの第１のセカンダリＡＣを含み、第１のセカンダリＡＣは送信対象データに対応するセカンダリＡＣである、ステップと、
ステーションが、残り時間内に、優先順位の高い順に第１のセカンダリＡＣグループ内の第１のセカンダリＡＣのデータを順次伝送するステップと、
を含む。
【００１０】
第１の態様に関して、第１の態様の第２の可能な実施では、ステーションが残り時間内に少なくとも１つのセカンダリＡＣのデータを送信するステップは、具体的には、
ステーションが、少なくとも１つのセカンダリＡＣから、優先度がプライマリＡＣの優先度よりも高い第２のセカンダリＡＣグループを決定するステップであって、第２のセカンダリＡＣグループは少なくとも１つの第２のセカンダリＡＣを含み、第２のセカンダリＡＣは送信対象データに対応するセカンダリＡＣである、ステップと、
ステーションが、残り時間内に第２のセカンダリＡＣグループのデータを送信するステップと、
を含む。
【００１１】
第１の態様の第２の可能な実施に関して、第１の態様の第３の可能な実施では、ステーションが残り時間内に第２のセカンダリＡＣグループのデータを送信するステップは、具体的には、
ステーションが、第２のセカンダリＡＣグループ内の各第２のセカンダリＡＣの優先度を決定するステップと、
ステーションが、残り時間内に、第２のセカンダリＡＣの優先度の高い順に、第２のセカンダリＡＣのデータを順次伝送するステップと、
を含む。
【００１２】
第１の態様の第１の可能な実施、第２の可能な実施及び第３の可能な実施において提供されるデータ伝送方法によれば、セカンダリＡＣの優先度が決定され、セカンダリＡＣの優先度に従って、ＴＸＯＰの残り時間内に、セカンダリＡＣのデータが伝送される。このように、データ伝送の公平性や信頼性を確保することができ、ステーションのデータ伝送効率を更に改善することができる。
【００１３】
第１の態様に関して、第１の態様の第４の可能な実施では、ステーションが現在の伝送機会（ＴＸＯＰ）内にステーションのプライマリＡＣのデータを送信するステップは、具体的には、
ステーションが、ＴＸＯＰ内にステーションの第１の集約データを送信するステップであって、第１の集約データは、少なくとも１つのセカンダリＡＣのデータと、プライマリＡＣのデータの最後の媒体アクセス制御プロトコルデータユニット（ＭＰＤＵ）とを含む、ステップ、
を含む。
【００１４】
第１の態様の第４の可能な実施に関して、第１の態様の第５の可能な実施では、ステーションが残り時間内に少なくとも１つのセカンダリＡＣのデータを送信するステップは、具体的には、
ステーションが、残り時間内に第２の集約データを送信するステップであって、第２の集約データは、少なくとも１つのセカンダリＡＣの中で最も優先度の高い第３のセカンダリＡＣのデータの最後のＭＰＤＵと、第３のセカンダリＡＣ以外のセカンダリＡＣのデータとを含む、ステップと、
を含む。
【００１５】
第１の態様の第４の可能な実施に関して、第１の態様の第６の可能な実施では、ステーションが残り時間内に少なくとも１つのセカンダリＡＣのデータを送信するステップは、具体的には、
ステーションが、残り時間内に第３の集約データを送信するステップであって、第３の集約データは、セカンダリＡＣの優先度の高いトラフィック識別子（ＴＩＤ）に対応するデータの最後のＭＰＤＵと、セカンダリＡＣの優先度の低いＴＩＤに対応するデータの少なくとも１つのＭＰＤＵとを含む、ステップ、
を含む。
【００１６】
第１の態様の第４の可能な実施、第５の可能な実施及び第６の可能な実施において提供されるデータ伝送方法によれば、１つ以上のＡＣのデータが集約され、伝送される。したがって、現在のＴＸＯＰ内の送信対象の確認応答フレームとフレーム間間隔の量が低減されるので、ステーションは、現在のＴＸＯＰ内に１つ以上のＡＣのデータを最大限に伝送することができ、これにより、ステーションのデータ伝送効率が改善され、使用されるチャネルリソースが低減される。
【００１７】
第１の態様に関して、第１の態様の第７の可能な実施では、ステーションが現在の伝送機会（ＴＸＯＰ）内にステーションのプライマリＡＣのデータを送信するステップの前に、本方法は更に、
ステーションが、プライマリＡＣの識別子を搬送し無線アクセスポイント（ＡＰ）によって送信されたトリガフレーム（ＴＦ）を受信するステップであって、ＴＦは、ステーションにプライマリＡＣのデータを集約するように指示するのに用いられる、ステップと、
ステーションが、ＴＦの指示に従って、プライマリＡＣの送信対象データがあるか否かを決定するステップと、
プライマリＡＣの送信対象データがある場合、ステーションが、プライマリＡＣのデータを集約して第４の集約データを取得するステップと、
を含み、
ステーションが現在の伝送機会（ＴＸＯＰ）内にステーションのプライマリＡＣのデータを送信するステップは、具体的には、
ステーションが、ＴＸＯＰ内に、第４の集約データをＡＰに送信するステップ、
を含む。
【００１８】
第１の態様の第７の可能な実施に関して、第１の態様の第８の可能な実施では、ステーションが、ＴＦの指示に従って、プライマリＡＣの送信対象データがないと決定したとき、ステーションは少なくとも１つのセカンダリＡＣのデータを集約する。
【００１９】
第１の態様の第８の可能な実施に関して、第１の態様の第９の可能な実施では、ステーションが、ＴＦの指示に従って、プライマリＡＣの送信対象データがないと決定したとき、ステーションは少なくとも１つのセカンダリＡＣのデータを集約することは、具体的には、
ステーションが、ＴＦの指示に従って、プライマリＡＣの送信対象データがないと決定したとき、ステーションが、優先度がプライマリＡＣの優先度よりも高いセカンダリＡＣのデータを集約すること、又は、
ステーションが、ＴＦの指示に従って、プライマリＡＣの送信対象データがないと決定したとき、ステーションが、少なくとも１つのセカンダリＡＣの中で最も優先度の高いセカンダリＡＣのデータを集約すること、
を含む。
【００２０】
第１の態様の第７の可能な実施、第８の可能な実施及び第９の可能な実施において提供されるデータ伝送方法によれば、マルチユーザアップリンク伝送シナリオが記述される。すなわち、現在のＴＸＯＰ内に、各非ＡＰステーションは、ＡＰからのＴＦに従って、次のアップリンク伝送時に集約されるＡＣを決定し、対応するタイプのＡＣのデータを集約し、ＡＰに、集約により得られた集約データを伝送することができる。このように、ＴＸＯＰの時間はより十分に利用され、送信対象の確認応答フレームとフレーム間間隔の量がデータ集約によって低減され、これにより、チャネルリソースが低減し、ステーションのデータ伝送効率が改善される。
【００２１】
第１の態様に関して、第１の態様の第１０の可能な実施では、ステーションが現在の伝送機会（ＴＸＯＰ）内にステーションのプライマリＡＣのデータを送信するステップの前に、本方法は更に、
ステーションが、無線アクセスポイント（ＡＰ）に第１のメッセージを送信するステップであって、第１のメッセージは、ＡＰが第１のメッセージに従ってステーションにトリガフレーム（ＴＦ）を送信できるように、ＡＰに対して、ステーションの各ＡＣの送信対象データがあるか否かを示すのに用いられる、ステップと、
ステーションが、プライマリＡＣの識別子を搬送しＡＰによって送信されたＴＦを受信するステップであって、ＴＦは、ステーションにプライマリＡＣのデータを集約するように指示するのに用いられる、ステップと、
ステーションが、ＴＦに従ってプライマリＡＣのデータを集約して、第５の集約データを取得するステップと、
を含み、
ステーションが現在の伝送機会（ＴＸＯＰ）内にステーションのプライマリＡＣのデータを送信するステップは、具体的には、
ステーションが、ＴＸＯＰ内に第５の集約データをＡＰに送信するステップ、
を含む。
【００２２】
第１の態様の第１０の可能な実施において提供されるデータ伝送方法によれば、マルチユーザアップリンク伝送シナリオが記述される。すなわち、現在のＴＸＯＰ内に、各非ＡＰステーションは、ＡＰからのＴＦに従って、次のアップリンク伝送時に集約されるＡＣのタイプを決定し、対応するタイプのＡＣのデータを集約し、ＡＰに、集約により得られた集約データを伝送することができる。このように、ＴＸＯＰの時間はより十分に利用され、送信対象の確認応答フレームとフレーム間間隔の量がデータ集約によって低減され、これにより、チャネルリソースが低減し、ステーションのデータ伝送効率が改善される。
【００２３】
第２の態様によれば、本発明はステーションを提供する。本ステーションは、
現在の伝送機会（ＴＸＯＰ）内にステーションのプライマリＡＣのデータを伝送するように構成される送受信モジュールであって、ステーションの送信対象データは、プライマリＡＣのデータ及び少なくとも１つのセカンダリＡＣのデータを含む、送受信モジュールと、
プライマリＡＣのデータの送信が完了した後、ステーションにより、ＴＸＯＰに残り時間があるか否かを決定するように構成される第１の決定モジュールと、
を備える。送受信モジュールは更に、第１の決定モジュールがＴＸＯＰに残り時間があると決定したとき、残り時間内に少なくとも１つのセカンダリＡＣのデータを伝送するように構成される。
【００２４】
第２の態様に関して、第２の態様の第１の可能な実施では、送受信モジュールが残り時間内に少なくとも１つのセカンダリＡＣのデータを伝送するように構成されることは、
送受信モジュールが、具体的には、ステーションの第１のセカンダリＡＣグループ内の第１のセカンダリＡＣの優先順位を決定し、残り時間内に、優先順位の高い順に、第１のセカンダリＡＣグループ内の第１のセカンダリＡＣのデータを順次伝送するように構成されることを含む。第１のセカンダリＡＣグループは少なくとも１つの第１のセカンダリＡＣを含み、第１のセカンダリＡＣは送信対象データに対応するセカンダリＡＣである。
【００２５】
第２の態様に関して、第２の態様の第２の可能な実施では、送受信モジュールが残り時間内に少なくとも１つのセカンダリＡＣのデータを伝送するように構成されることは、
送受信モジュールが、具体的には、少なくとも１つのセカンダリＡＣから、優先度がプライマリＡＣの優先度よりも高い第２のセカンダリＡＣグループを決定し、残り時間内に第２のセカンダリＡＣグループのデータを伝送するように構成されることを含む。第２のセカンダリＡＣグループは少なくとも１つの第２のセカンダリＡＣを含み、第２のセカンダリＡＣは送信対象データに対応するセカンダリＡＣである。
【００２６】
第２の態様の第２の可能な実施に関して、第２の態様の第３の可能な実施では、送受信モジュールが具体的には残り時間内に第２のセカンダリＡＣグループのデータを伝送するように構成されることは、
送受信モジュールが、具体的には、第２のセカンダリＡＣグループ内の各第２のセカンダリＡＣの優先度を決定し、残り時間内に、第２のセカンダリＡＣの優先度の高い順に、第２のセカンダリＡＣのデータを順次伝送するように構成されることを含む。
【００２７】
第２の態様に関して、第２の態様の第４の可能な実施では、送受信モジュールが現在の伝送機会（ＴＸＯＰ）内にステーションのプライマリＡＣのデータを伝送するように構成されることは、
送受信モジュールが、具体的には、ＴＸＯＰ内にステーションの第１の集約データを伝送するように構成されることを含む。第１の集約データは、少なくとも１つのセカンダリＡＣのデータと、プライマリＡＣのデータの最後の媒体アクセス制御プロトコルデータユニット（ＭＰＤＵ）とを含む。
【００２８】
第２の態様の第４の可能な実施に関して、第２の態様の第５の可能な実施では、送受信モジュールが残り時間内に少なくとも１つのセカンダリＡＣのデータを伝送するように構成されることは、
送受信モジュールが、具体的には、残り時間内に第２の集約データを伝送するように構成されることを含む。第２の集約データは、少なくとも１つのセカンダリＡＣの中で最も優先度の高い第３のセカンダリＡＣのデータの最後のＭＰＤＵと、第３のセカンダリＡＣ以外のセカンダリＡＣのデータとを含む。
【００２９】
第２の態様の第４の可能な実施に関して、第２の態様の第６の可能な実施では、送受信モジュールが残り時間内に少なくとも１つのセカンダリＡＣのデータを伝送するように構成されることは、
送受信モジュールが、具体的には、残り時間内に第３の集約データを伝送するように構成されることを含む。第３の集約データは、セカンダリＡＣの優先度の高いトラフィック識別子（ＴＩＤ）に対応するデータの最後のＭＰＤＵと、セカンダリＡＣの優先度の低いＴＩＤに対応するデータの少なくとも１つのＭＰＤＵとを含む。
【００３０】
第２の態様に関して、第２の態様の第７の可能な実施では、ステーションは更に、第２の決定モジュール及び第１の集約モジュールを備え、
送受信モジュールは更に、現在の伝送機会（ＴＸＯＰ）内にステーションのプライマリＡＣのデータを伝送する前に、プライマリＡＣの識別子を搬送し無線アクセスポイント（ＡＰ）によって送信されたトリガフレーム（ＴＦ）を受信するように構成され、ＴＦは、ステーションにプライマリＡＣのデータを集約するように指示するのに用いられ、
第２の決定モジュールは、ＴＦの指示に従って、プライマリＡＣの送信対象データがあるか否かを決定するように構成され、
第１の集約モジュールは、第２の決定モジュールがプライマリＡＣの送信対象データがあると決定したとき、プライマリＡＣのデータを集約して第４の集約データを取得するように構成され、
送受信モジュールが現在の伝送機会（ＴＸＯＰ）内にステーションのプライマリＡＣのデータを伝送するように構成されることは、
送受信モジュールが、具体的には、ＴＸＯＰ内に第４の集約データをＡＰに送信するように構成されることを含む。
【００３１】
第２の態様の第７の可能な実施に関して、第２の態様の第８の可能な実施では、第１の集約モジュールは更に、第２の決定モジュールがプライマリＡＣの送信対象データがないと決定したとき、少なくとも１つのセカンダリＡＣのデータを集約するように構成される。
【００３２】
第２の態様の第８の可能な実施に関して、第２の態様の第９の可能な実施では、第１の集約モジュールは、具体的には、第２の決定モジュールがＴＦの指示に従って、プライマリＡＣの送信対象データがないと決定したとき、優先度がプライマリＡＣの優先度よりも高いセカンダリＡＣのデータを集約するように構成され、又は、第２の決定モジュールがＴＦの指示に従って、プライマリＡＣの送信対象データがないと決定したとき、少なくとも１つのセカンダリＡＣの中で最も優先度の高いセカンダリＡＣのデータを集約するように構成される。
【００３３】
第２の態様に関して、第２の態様の第１０の可能な実施では、ステーションは更に第２の集約モジュールを備え、
送受信モジュールは更に、現在の伝送機会（ＴＸＯＰ）内にステーションのプライマリＡＣのデータを伝送する前に、無線アクセスポイント（ＡＰ）に第１のメッセージを送信し、プライマリＡＣの識別子を搬送しＡＰによって送信されたＴＦを受信するように構成され、第１のメッセージは、ＡＰが第１のメッセージに従ってトリガフレーム（ＴＦ）をステーションに送信できるように、ＡＰに対して、ステーションの各ＡＣの送信対象データがあるか否かを示すのに用いられ、ＴＦは、ステーションにプライマリＡＣのデータを集約するように指示するのに用いられ、
第２の集約モジュールは、ＴＦに従ってプライマリＡＣのデータを集約して、第５の集約データを取得するように構成され、
送受信モジュールが現在の伝送機会（ＴＸＯＰ）内にステーションのプライマリＡＣのデータを伝送するように構成されることは、
送受信モジュールが、具体的には、ＴＸＯＰ内に第５の集約データをＡＰに送信するように構成されることを含む。
【００３４】
第２の態様及び第２の態様の可能な実施において提供されるデータ伝送方法の有益な効果については、第１の態様及び第１の態様の可能な実施によってもたらされる有益な効果を参照することができる。ここでは詳細の説明を省略する。
【００３５】
第３の態様によれば、本発明はステーションを提供する。本ステーションは、
現在の伝送機会（ＴＸＯＰ）内にステーションのプライマリＡＣのデータを伝送するように構成される送受信部であって、ステーションの送信対象データは、プライマリＡＣのデータ及び少なくとも１つのセカンダリＡＣのデータを含む、送受信部と、
プライマリＡＣのデータの送信が完了した後、ステーションにより、ＴＸＯＰに残り時間があるか否かを決定するように構成されるプロセッサと、
を備え、
送受信部は更に、プロセッサがＴＸＯＰに残り時間があると決定したとき、残り時間内に少なくとも１つのセカンダリＡＣのデータを伝送するように構成される。
【００３６】
第３の態様に関して、第３の態様の第１の可能な実施では、送受信部が残り時間内に少なくとも１つのセカンダリＡＣのデータを伝送するように構成されることは、
送受信部が、具体的には、ステーションの第１のセカンダリＡＣグループ内の第１のセカンダリＡＣの優先順位を決定し、残り時間内に、優先順位の高い順に、第１のセカンダリＡＣグループ内の第１のセカンダリＡＣのデータを順次伝送するように構成されることを含む。第１のセカンダリＡＣグループは少なくとも１つの第１のセカンダリＡＣを含み、第１のセカンダリＡＣは送信対象データに対応するセカンダリＡＣである。
【００３７】
第３の態様に関して、第３の態様の第２の可能な実施では、送受信部が残り時間内に少なくとも１つのセカンダリＡＣのデータを伝送するように構成されることは、
送受信部が、具体的には、少なくとも１つのセカンダリＡＣから、優先度がプライマリＡＣの優先度よりも高い第２のセカンダリＡＣグループを決定し、残り時間内に第２のセカンダリＡＣグループのデータを伝送するように構成されることを含む。第２のセカンダリＡＣグループは少なくとも１つの第２のセカンダリＡＣを含み、第２のセカンダリＡＣは送信対象データに対応するセカンダリＡＣである。
【００３８】
第３の態様の第２の可能な実施に関して、第３の態様の第３の可能な実施では、送受信部が具体的には残り時間内に第２のセカンダリＡＣグループのデータを伝送するように構成されることは、
送受信部が、具体的には、第２のセカンダリＡＣグループ内の各第２のセカンダリＡＣの優先度を決定し、残り時間内に、第２のセカンダリＡＣの優先度の高い順に、第２のセカンダリＡＣのデータを順次伝送するように構成されることを含む。
【００３９】
第３の態様に関して、第３の態様の第４の可能な実施では、送受信部が現在の伝送機会（ＴＸＯＰ）内にステーションのプライマリＡＣのデータを伝送するように構成されることは、
送受信部は、具体的には、ＴＸＯＰ内にステーションの第１の集約データを伝送するように構成されることを含む。第１の集約データは、少なくとも１つのセカンダリＡＣのデータと、プライマリＡＣのデータの最後の媒体アクセス制御プロトコルデータユニット（ＭＰＤＵ）とを含む。
【００４０】
第３の態様の第４の可能な実施に関して、第３の態様の第５の可能な実施では、送受信部が残り時間内に少なくとも１つのセカンダリＡＣのデータを伝送するように構成されることは、
送受信部が、具体的には、残り時間内に第２の集約データを伝送するように構成されることを含む。第２の集約データは、少なくとも１つのセカンダリＡＣの中で最も優先度の高い第３のセカンダリＡＣのデータの最後のＭＰＤＵと、第３のセカンダリＡＣ以外のセカンダリＡＣのデータとを含む。
【００４１】
第３の態様の第４の可能な実施に関して、第３の態様の第６の可能な実施では、送受信部が残り時間内に少なくとも１つのセカンダリＡＣのデータを伝送するように構成されることは、
送受信部が、具体的には、残り時間内に第３の集約データを伝送するように構成されることを含む。第３の集約データは、セカンダリＡＣの優先度の高いトラフィック識別子（ＴＩＤ）に対応するデータの最後のＭＰＤＵと、セカンダリＡＣの優先度の低いＴＩＤに対応するデータの少なくとも１つのＭＰＤＵとを含む。
【００４２】
第３の態様に関して、第３の態様の第７の可能な実施では、送受信部は更に、現在の伝送機会（ＴＸＯＰ）内にステーションのプライマリＡＣのデータを伝送する前に、プライマリＡＣの識別子を搬送し無線アクセスポイント（ＡＰ）によって送信されたトリガフレーム（ＴＦ）を受信するように構成され、ＴＦは、ステーションにプライマリＡＣのデータを集約するように指示するのに用いられ、
プロセッサは更に、ＴＦの指示に従って、プライマリＡＣの送信対象データがあるか否かを決定し、プライマリＡＣの送信対象データがあると決定したとき、プライマリＡＣのデータを集約して第４の集約データを取得するように構成され、
送受信部が現在の伝送機会（ＴＸＯＰ）内にステーションのプライマリＡＣのデータを伝送するように構成されることは、
送受信部が、具体的には、ＴＸＯＰ内に第４の集約データをＡＰに送信するように構成されることを含む。
【００４３】
第３の態様の第７の可能な実施に関して、第３の態様の第８の可能な実施では、プロセッサは更に、プライマリＡＣの送信対象データがないと決定したとき、少なくとも１つのセカンダリＡＣのデータを集約するように構成される。
【００４４】
第３の態様の第８の可能な実施に関して、第３の態様の第９の可能な実施では、プロセッサは、具体的には、ＴＦの指示に従ってプライマリＡＣの送信対象データがないと決定したとき、優先度がプライマリＡＣの優先度よりも高いセカンダリＡＣのデータを集約するように構成され、又は、ＴＦの指示に従ってプライマリＡＣの送信対象データがないと決定したとき、少なくとも１つのセカンダリＡＣの中で最も優先度の高いセカンダリＡＣのデータを集約するように構成される。
【００４５】
第３の態様に関して、第３の態様の第１０の可能な実施では、送受信部は更に、現在の伝送機会（ＴＸＯＰ）内にステーションのプライマリＡＣのデータを伝送する前に、無線アクセスポイント（ＡＰ）に第１のメッセージを送信し、プライマリＡＣの識別子を搬送しＡＰによって送信されたＴＦを受信するように構成され、第１のメッセージは、ＡＰが第１のメッセージに従ってトリガフレーム（ＴＦ）をステーションに送信できるように、ＡＰに対して、ステーションの各ＡＣの送信対象データがあるか否かを示すのに用いられ、ＴＦは、ステーションにプライマリＡＣのデータを集約するように指示するのに用いられ、
プロセッサは更に、ＴＦに従ってプライマリＡＣのデータを集約して、第５の集約データを取得するように構成され、
送受信部が現在の伝送機会（ＴＸＯＰ）内にステーションのプライマリＡＣのデータを伝送するように構成されることは、
送受信部が、具体的には、ＴＸＯＰ内に第５の集約データをＡＰに送信するように構成されることを含む。
【００４６】
第１の態様及び第１の態様の可能な実施と、第２の態様及び第２の態様の可能な実施と、第３の態様及び第３の態様の可能な実施とに関して、第４の集約データは、少なくとも１つのセカンダリＡＣのデータと、プライマリＡＣのデータの最後のＭＰＤＵとを含む。
【００４７】
任意に、ＡＰによって送られた任意の１回のＴＦに対応するアップリンク伝送では、各ステーションによって伝送される全ての集約データにおいて、少なくとも１つの集約データ全体がプライマリＡＣのデータから成る場合、アップリンク伝送は、ＡＰに、次に送られるＴＦにおいて、ステーションに次のアップリンク伝送時にプライマリＡＣのデータの集約を継続するように指示することを継続するように指示するのに用いられ、
又は、
ＡＰによって送られた任意の１回のＴＦに対応するアップリンク伝送では、各ステーションによって伝送される全ての集約データがセカンダリＡＣのデータを含むとき、アップリンク伝送は、ＡＰに、次に送られるＴＦにおいて、ステーションに次のアップリンク伝送時にセカンダリＡＣのデータを集約するように指示するように指示するのに用いられる。
【００４８】
任意に、ステーションによって伝送される全ての集約データは指示フィールドを含み、
ＡＰによって送られた任意の１回のＴＦに対応するアップリンク伝送では、各ステーションによって伝送される全ての集約データにおいて、少なくとも１つの集約データ全体がプライマリＡＣのデータから成り、且つ少なくとも１つの集約データの指示フィールドが１であるとき、指示フィールドは、ＡＰに、次に送られるＴＦにおいて、ステーションに次のアップリンク伝送時にプライマリＡＣのデータの集約を継続するように指示することを継続するように指示するのに用いられ、
又は、
ＡＰによって送られた任意の１回のＴＦに対応するアップリンク伝送では、各ステーションによって伝送される全ての集約データのうち、プライマリＡＣのデータを含む集約データの全ての指示フィールドが０であるとき、指示フィールドは、ＡＰに、次に送られるＴＦにおいて、ステーションに次のアップリンク伝送時にセカンダリＡＣのデータを集約するように指示するように指示するのに用いられる。
【００４９】
任意に、指示フィールドが、ＡＰに、次に送られるＴＦにおいて、ステーションに次のアップリンク伝送時にセカンダリＡＣのデータを集約するように指示するように指示するのに用いられることは、具体的には、
指示フィールドが、ＡＰに、次に送られるＴＦにおいて、ステーションに、次のアップリンク伝送時に、優先度がプライマリＡＣの優先度よりも高いセカンダリＡＣのデータを集約するように指示するように指示するのに用いられること、
又は、
指示フィールドが、ＡＰに、次に送られるＴＦにおいて、ステーションに、次のアップリンク伝送時に最も優先度の高いセカンダリＡＣのデータを集約するように指示するように指示するのに用いられること、
を含む。
【００５０】
任意に、第５の集約データは、少なくとも１つのセカンダリＡＣのデータと、プライマリＡＣのデータの最後のＭＰＤＵとを含む。
【００５１】
任意に、ステーションによって伝送される全ての集約データは指示フィールドを含み、
ＡＰによって送られた任意の１回のＴＦに対応するアップリンク伝送では、各ステーションによって伝送される全ての集約データ全体がプライマリＡＣのデータから成り、且つ全ての集約データの指示フィールドが１であるとき、アップリンク伝送は、ＡＰに、次に送られるＴＦにおいて、ステーションに、次のアップリンク伝送時にプライマリＡＣのデータの集約を指示することを継続することを指示するのに用いられ、
又は、
ＡＰによって送られた任意の１回のＴＦに対応するアップリンク伝送では、各ステーションによって伝送される全ての集約データにおいて、少なくとも１つの集約データがプライマリＡＣのデータを含み、且つプライマリＡＣのデータを含む集約データの指示フィールドが０であるとき、また、少なくとも１つの集約データがプライマリＡＣのデータを含み、且つプライマリＡＣのデータを含む集約データの指示フィールドが１であるとき、アップリンク伝送は、ＡＰに、次に送られるＴＦにおいて、ステーションに、次のアップリンク伝送時にプライマリＡＣのデータの集約又はプライマリＡＣのデータ及びセカンダリＡＣのデータの集約を指示するように指示するのに用いられ、
又は、
ＡＰによって送られた任意の１回のＴＦに対応するアップリンク伝送では、各ステーションによって伝送される全ての集約データにおいて、少なくとも１つの集約データがプライマリＡＣのデータを含まないとき、また、少なくとも１つの集約データがプライマリＡＣのデータを含み、且つプライマリＡＣのデータを含む集約データの指示フィールドが１であるとき、アップリンク伝送は、ＡＰに、次に送られるＴＦにおいて、ステーションに、次のアップリンク伝送時にプライマリＡＣのデータの集約又はプライマリＡＣのデータ及びセカンダリＡＣのデータの集約を指示するように指示するのに用いられ、
又は、
ＡＰによって送られた任意の１回のＴＦに対応するアップリンク伝送では、各ステーションによって伝送される全ての集約データにおいて、少なくとも１つの集約データがプライマリＡＣのデータを含み、且つプライマリＡＣのデータを含む集約データの指示フィールドが０であるとき、若しくは、どの集約データもプライマリＡＣのデータを含まないとき、アップリンク伝送は、ＡＰに、次に送られるＴＦにおいて、ステーションに次のアップリンク伝送時にセカンダリＡＣのデータを集約するように指示するように指示するのに用いられる。
【００５２】
任意に、ＡＰによって送られた任意の１回のＴＦに対応するアップリンク伝送では、各ステーションによって伝送される全ての集約データ全体がプライマリＡＣのデータから成るとき、アップリンク伝送は、ＡＰに、次に送られるＴＦにおいて、ステーションに、次のアップリンク伝送時にプライマリＡＣのデータの集約を指示することを継続することを指示するのに用いられ、
又は、
ＡＰによって送られた任意の１回のＴＦに対応するアップリンク伝送では、各ステーションによって伝送される全ての集約データにおいて、少なくとも１つの集約データ全体がプライマリＡＣのデータから成り、且つ少なくとも１つの集約データがセカンダリＡＣのデータを含むとき、アップリンク伝送は、ＡＰに、次に送られるＴＦにおいて、ステーションが、次のアップリンク伝送時に、プライマリＡＣのデータ及びセカンダリＡＣのデータを集約するように指示するように指示するのに用いられ、
又は、
ＡＰによって送られた任意の１回のＴＦに対応するアップリンク伝送では、各ステーションによって伝送される全ての集約データがセカンダリＡＣのデータを含むとき、アップリンク伝送は、ＡＰに、次に送られるＴＦにおいて、ステーションに、次のアップリンク伝送時に１つ以上のセカンダリＡＣのデータを集約するように指示するように指示するのに用いられる。
【００５３】
第３の態様及び第３の態様の可能な実施において提供されるデータ伝送方法の有益な効果については、第１の態様及び第１の態様の可能な実施によってもたらされる有益な効果を参照することができる。ここでは詳細の説明を省略する。
【図面の簡単な説明】
【００５４】
本発明の実施形態における技術的解決策をより明確に説明するために、実施形態を説明するために必要な添付図面を簡単に説明する。当然ながら、以下の説明における添付図面は、本発明の実施形態の一部を示す。当業者であれば、これらの添付図面から創意工夫なしに更に他の図面を得ることができるであろう。
【００５５】
【図１】本発明の実施形態に係るＷＬＡＮシステムの概略構造図である。
【図２】本発明の実施形態に係る第１のデータ伝送方法の実施形態の概略フローチャートである。
【図３】本発明の実施形態に係る第１の概略データ伝送図である。
【図４】本発明の実施形態に係る第１のデータ伝送方法実施形態の可能な実施の概略フローチャートである。
【図５】本発明の実施形態に係る第１のデータ伝送方法実施形態の別の可能な実施の概略フローチャートである。
【図６】本発明の実施形態に係る第２の概略データ伝送図である。
【図７】本発明の実施形態に係る第３の概略データ伝送図である。
【図８】本発明の実施形態に係る第２のデータ伝送方法実施形態の概略フローチャートである。
【図９】本発明の実施形態に係る第４の概略データ伝送図である。
【図１０】本発明の実施形態に係る第３のデータ伝送方法実施形態の概略フローチャートである。
【図１１】本発明の実施形態に係る第４のデータ伝送方法実施形態の概略フローチャートである。
【図１２】本発明の実施形態に係る第５の概略データ伝送図である。
【図１３】本発明の実施形態に係る第１のステーション実施形態の概略構造図である。
【図１４】本発明の実施形態に係る第２のステーション実施形態の概略構造図である。
【図１５】本発明の実施形態に係る第３のステーション実施形態の概略構造図である。
【図１６】本発明の実施形態に係る第４のステーション実施形態の概略構造図である。
【図１７】本発明に係る携帯電話の概略構造図である。
【発明を実施するための形態】
【００５６】
本発明の実施形態の目的、技術的解決策及び利点をより明確にするために、以下、本発明の実施形態における添付図面を参照して、本発明の実施形態における技術的解決策を明確に説明する。当然ながら、説明される実施形態は、本発明の実施形態の一部であり、全部ではない。当業者が本発明の実施形態に基づいて創意工夫なしに得た他の実施形態は、全て本発明の保護範囲に包含されるものとする。
【００５７】
本発明の実施形態の方法は、無線ローカルエリアネットワーク（Wireless  Local  Area  Network、略称ＷＬＡＮ）に適用可能である。現在、ＷＬＡＮに用いられる規格は、電気電子技術者協会（Institute  for  Electrical  and  Electronics  Engineers、略称ＩＥＥＥ）８０２．１１シリーズである。ＷＬＡＮネットワークは、互いに通信する無線アクセスポイント（Wireless  Access  Point、略称ＡＰ）と非ＡＰステーションとを含む。ＡＰと非ＡＰステーションの両方をステーションと呼ぶことがある。
【００５８】
ＡＰは、モバイルユーザが有線ネットワークにアクセスするために用いるアクセスポイントであり、主に家庭、或いは建物やキャンパスの中に配置され、カバレッジ半径は通常数十〜数百メートルである。当然ながら、ＡＰは代替として屋外に配備することができる。ＡＰは、有線ネットワークと無線ネットワークを接続するブリッジに相当する。ＡＰの主な機能は、無線ネットワーククライアントを一緒に接続することと、無線ネットワークをイーサネットに接続することである。具体的には、ＡＰは、ＷｉＦｉ（英語：Wireless  Fidelity）チップを有する端末デバイス又はネットワークデバイスであってよい。任意に、ＡＰは、８０２．１１ａｘ規格をサポートするデバイスであってよい。更に、任意に、ＡＰは、８０２．１１ａｃ、８０２．１１ｎ、８０２．１１ｇ、８０２．１１ｂ、８０２．１１ａなどの複数のＷＬＡＮ規格をサポートするデバイスであってよい。
【００５９】
非ＡＰステーションは、無線通信チップ、無線センサ又は無線通信端末であってよい。例えば、非ＡＰステーションは、ＷｉＦｉ通信機能をサポートする携帯電話、ＷｉＦｉ通信機能をサポートするタブレットコンピュータ、ＷｉＦｉ通信機能をサポートするセットトップボックス、ＷｉＦｉ通信機能をサポートするスマートＴＶ、ＷｉＦｉ通信機能をサポートするスマートウェアラブルデバイス、ＷｉＦｉ通信機能をサポートする車載通信デバイス、又はＷｉＦｉ通信機能をサポートするコンピュータである。任意に、非ＡＰステーションは８０２．１１ａｘ規格をサポートすることができる。更に、任意に、非ＡＰステーションは、８０２．１１ａｃ、８０２．１１ｎ、８０２．１１ｇ、８０２．１１ｂ、８０２．１１ａなどの複数のＷＬＡＮ規格をサポートする。
【００６０】
図１は、本発明に係るＷＬＡＮシステムの概略構造図である。図１に示されるように、ＷＬＡＮシステムにおいて、１つのＡＰが複数のＳＴＡ（非ＡＰステーション）と通信することができる。
【００６１】
ステーションがＡＣのデータを送信する必要があるとき、ステーションはＡＣのチャネルについて競合し、対応するＴＸＯＰを取得し、ＴＸＯＰ内でＡＣのデータを伝送する必要がある。しかしながら、ＡＣのデータの伝送が完了し、ＴＸＯＰにまだ残り時間があるとき、一般に、従来技術ではチャネルが直接解放される。その結果、ＴＸＯＰの残り時間が浪費され、ステーションのデータ伝送効率の低下が生じる。
【００６２】
本発明の実施形態において提供されるデータ伝送方法、装置及びデバイスは、従来技術において、ＡＣのデータの伝送が完了したがまだＴＸＯＰに残り時間があるときにチャネルが直接解放されるために、チャネルリソースが浪費され、ステーションの伝送効率が低下するという従来技術の技術的課題を解決するためのものである。
【００６３】
留意すべきこととして、本発明の実施形態では、ステーションの複数のＡＣに対してプライマリ‐セカンダリ分割がおこなわれる。ステーションがＡＣのデータを伝送するためにチャネルについて競合するとき、該ＡＣはプライマリＡＣであり、他のＡＣはセカンダリＡＣである。加えて、本発明の実施形態において、プライマリＡＣのデータは、プライマリＡＣに対応するキャッシュキューに一時的に記憶されるデータフレームであり、セカンダリＡＣのデータは、セカンダリＡＣに対応するキャッシュキューに一時的に記憶されるデータフレームである。
【００６４】
以下、具体的な実施形態を用いて、本発明の技術的解決策を詳細に説明する。以下のいくつかの具体的な実施形態は相互に組み合わせることができ、同じ又は類似の概念又はプロセスは、一部の実施形態において省略されることがある。
【００６５】
図２は、本発明の実施形態に係る第１のデータ伝送方法の実施形態の概略フローチャートである。本実施形態は、以下の具体的なプロセスを提供する。すなわち、プライマリＡＣのデータの伝送が完了し、且つまだＴＸＯＰに残り時間があるとき、チャネルリソースが十分に利用されデータ伝送効率が改善されるように、ステーションは、残り時間内に他のセカンダリＡＣのデータを伝送する。図２に示されるように、本方法は以下のステップを含む。
【００６６】
Ｓ１０１．ステーションが、現在のＴＸＯＰ内にステーションのプライマリＡＣのデータを伝送する。
【００６７】
具体的には、本実施形態におけるステーションの送信対象データは、プライマリＡＣのデータ及び少なくとも１つのセカンダリＡＣのデータを含んでよい。ステーションはＡＰであってもよいし、ＳＴＡなどの非ＡＰステーションであってもよい。任意に、ステーションのＡＣは、ＡＣ＿ＶＯ、ＡＣ＿ＶＩ、ＡＣ＿ＢＥ、ＡＣ＿ＢＫの４種類を含んでよい。当然ながら、具体的な実施は、現在の４つのＡＣタイプに制限される必要はない。
【００６８】
ＴＸＯＰは、ＡＰにより、ＡＰのプライマリＡＣのデータの伝送のために実行されるチャネル競合によって取得されてもよいし、ＳＴＡにより、ＳＴＡのプライマリＡＣのデータの伝送のために実行されるチャネル競合によって取得されてもよいし、ＡＰによりＳＴＡに対して、ＳＴＡのプライマリＡＣのデータの伝送のために実行されるスケジューリングによって取得されてもよい。
【００６９】
Ｓ１０２．プライマリＡＣのデータの伝送が完了した後、ステーションが、ＴＸＯＰに残り時間があるか否かを決定する。
【００７０】
Ｓ１０３．プライマリＡＣのデータの伝送が完了した後、ステーションがＴＸＯＰに残り時間があると決定した場合、ステーションが、残り時間内に少なくとも１つのセカンダリＡＣのデータを伝送する。
【００７１】
具体的には、プライマリＡＣのデータの送信が完了した後、ステーションがＴＸＯＰに残り時間があると決定したとき、ステーションは、残り時間内に少なくとも１つのセカンダリＡＣのデータを伝送してよい。任意に、ステーションは、伝送のために１つ以上のセカンダリＡＣのデータをランダムに選択してもよいし、セカンダリＡＣの優先度に従って、伝送のために、対応するセカンダリＡＣのデータを選択してもよい。本実施形態では、ステーションがＴＸＯＰの残り時間内にセカンダリＡＣのデータを送信する場合、ステーションによって選択されるセカンダリＡＣのタイプと数量は限定されない。このように、チャネルリソースを浪費することなく現在のＴＸＯＰが十分に利用されることを保証することができ、それにより、ステーションのデータ伝送効率が改善される。詳細については、図３に示される第１の概略データ伝送図を参照することができる。図３のＲＴＳとＣＴＳは、送信要求／送信可（Send  To  Send／Clear  To  Send）プロトコルであり、ＢＡはブロック確認応答（Block  ACK）フレームである。
【００７２】
本発明において提供されるデータ伝送方法によれば、プライマリＡＣのデータの伝送が完了し、且つまだ現在のＴＸＯＰに残り時間があるとき、チャネルリソースが浪費されることなく現在のＴＸＯＰが十分に利用されるように、ステーションは、残り時間内に、ステーションの他のセカンダリＡＣのデータを伝送する。よって、ステーションのデータ伝送効率が改善される。
【００７３】
任意に、第１の実施形態の可能な実施では、該実施は、ステーションが上述の残り時間内にステーションのセカンダリＡＣのデータを伝送するという具体的なプロセスを提供する。上述の第１の実施形態に基づき、図４を参照すると、Ｓ１０３は以下のステップを含んでよい。
【００７４】
Ｓ２０１．ステーションが、ステーションの第１のセカンダリＡＣグループ内の第１のセカンダリＡＣの優先順位を決定する。
【００７５】
具体的には、第１のセカンダリＡＣグループは少なくとも１つの第１のセカンダリＡＣを含む。第１のセカンダリＡＣは、送信対象データに対応する、ステーションのセカンダリＡＣである。したがって、ステーションは、第１のセカンダリＡＣの優先順位を決定してよい。任意に、既存のＩＥＥＥ８０２．１１規格に従って、ステーションの送信対象データは４つのタイプのＡＣのデータを含んでよい。これらのＡＣの優先順位は、ＡＣ＿ＶＯの優先度＞ＡＣ＿Ｖｉの優先度＞ＡＣ＿ＢＥの優先度＞ＡＣ＿ＢＫの優先度であってよい。
【００７６】
Ｓ２０２．ステーションが、残り時間内に、優先順位の高い順に、第１のセカンダリＡＣグループの中の第１のセカンダリＡＣのデータを順次伝送する。
【００７７】
任意に、第１の実施形態の別の可能な実施では、該実施は、ステーションが上述の残り時間内にステーションのセカンダリＡＣのデータを伝送するという別の具体的なプロセスを提供する。上述の第１の実施形態に基づき、図５を参照すると、Ｓ１０３は以下のステップを含んでよい。
【００７８】
Ｓ３０１．ステーションが、少なくとも１つのセカンダリＡＣから、優先度がプライマリＡＣの優先度よりも高い第２のセカンダリＡＣグループを決定する。
【００７９】
第２のセカンダリＡＣグループは少なくとも１つの第２のセカンダリＡＣを含んでよく、第２のセカンダリＡＣは、送信対象データに対応する、ステーションのセカンダリＡＣである。
【００８０】
Ｓ３０２．ステーションが、残り時間内に第２のセカンダリＡＣグループのデータを伝送する。
【００８１】
詳細については、図６に示される第２の概略データ伝送図を参照することができる。本実施では、優先度がプライマリＡＣの優先度よりも高い第２のセカンダリＡＣが１つある。第２のセカンダリＡＣグループを決定した後、ステーションは、ＴＸＯＰの残り時間内に、第２のセカンダリＡＣグループのデータを伝送する。第２のセカンダリＡＣグループのデータの伝送が完了した後、ステーションはチャネルリソースを解放する。留意すべきこととして、本実施では、ステーションが第２のセカンダリＡＣグループ内の第２のセカンダリＡＣのデータを伝送する方式は、限定されない。
【００８２】
任意に、Ｓ３０２は具体的には以下を含んでよい。すなわち、ステーションは、第２のセカンダリＡＣグループ内の各第２のセカンダリＡＣの優先度を決定し、残り時間内に、第２のセカンダリＡＣの優先度の高い順に、第２のセカンダリＡＣのデータを順次伝送する。詳細については、図７に示される第３の概略データ伝送図を参照することができる（図７のセカンダリＡＣ１とセカンダリＡＣ２の両方は、優先度がプライマリＡＣの優先度よりも高い第２のセカンダリＡＣである）。これらの第２のセカンダリＡＣのデータの伝送が完了した後、ステーションはチャネルリソースを解放する。
【００８３】
要するに、第１の実施形態の２つの可能な実施では、セカンダリＡＣの優先度が決定され、セカンダリＡＣの優先度に従って、ＴＸＯＰの残り時間内に、セカンダリＡＣのデータが伝送される。このように、データ伝送の公平性や信頼性を確保することができ、ステーションのデータ伝送効率を更に改善することができる。
【００８４】
以下のいくつかの実施形態の全てにおいて、以下が説明される。すなわち、ＡＣのデータが現在のＴＸＯＰ内に集約されるので、集約データはＴＸＯＰ内で伝送され、これにより、そのステーションのデータ伝送効率が改善される。ここでの効率改善は、２つの態様に依存する。
【００８５】
第１に、複数のＡＣのデータが集約される。全てのＡＣのデータを個別に伝送する場合と比較して、この方式は、複数回の伝送に対応するフレーム間間隔、複数の確認応答フレーム及び複数のプリアンブル（preamble）のオーバヘッドを低減することができる。例えば、図３を参照すると、ＴＸＯＰ内の複数回のデータ伝送時、複数の確認応答フレーム（ＢＡ）と複数のフレーム間間隔が存在する。これにより、現在のＴＸＯＰにおいて確実に時間が浪費される。以下のいくつかの実施形態において、ＡＣのデータの集約は、プライマリＡＣのデータとセカンダリＡＣのデータとの集約であってもよいし、セカンダリＡＣのデータの集約であってもよいし、プライマリＡＣの異なるＴＩＤに対応するデータとセカンダリＡＣの異なるＴＩＤに対応するデータとの集約であってもよい（従来技術の伝送では、１回の伝送時に、ＡＣの１つのＴＩＤに対応するデータしか伝送することができない。ＡＣは２つのトラフィック識別子（Traffic  Identifier、略称ＴＩＤ）を含み、ＴＩＤは、ＡＣに対応する記憶されたデータの優先度を示す）。いずれのタイプの集約であっても、確認応答フレーム及びフレーム間間隔の量を低減することができ、これにより、ステーションのデータ伝送効率が改善される。
【００８６】
第２に、マルチユーザ伝送プロセス時（すなわち、複数の非ＡＰステーションがＡＰにデータを伝送するとき）、複数のユーザのデータのタイムアライメントが必要である。データ伝送のタイムアライメントが実施されないとき、伝送時間の比較的短いステーションに対してパディング（padding）を実行して、タイムアライメントを実施する必要がある。具体的には、伝送プロセス時、ステーションは１つのＡＣのデータしか伝送することができない。ステーションの現在のＡＣのデータが比較的長く、別のステーションの現在のＡＣのデータが比較的短いと仮定すると、伝送を同時に終了するために、ステーションの比較的短いデータに対してパディングが実行される必要があるが、ここでのパディングは、現在のＴＸＯＰの部分的な時間を確実に浪費する。これに対して、ＡＣのデータの集約をおこなうと、１回の伝送時に、比較的短いデータに対応するＡＣについて他のＡＣのデータを集約することができるので、パディング長を低減することができ、よってデータ伝送効率が改善される。
【００８７】
図８は、本発明の実施形態に係る第２のデータ伝送方法実施形態の概略フローチャートである。本実施形態は、以下の具体的なプロセスを提供する。すなわち、ＴＸＯＰ内にプライマリＡＣ及び対応するセカンダリＡＣのデータを伝送するとき、複数のＡＣのデータを集約することができるので、ステーションのデータ伝送効率が改善される。図８に示されるように、本方法は以下のステップを含む。
【００８８】
Ｓ４０１．ステーションが、現在のＴＸＯＰ内にステーションの第１の集約データを伝送する。第１の集約データは、少なくとも１つのセカンダリＡＣのデータと、プライマリＡＣのデータの最後の媒体アクセス制御プロトコルデータユニット（ＭＰＤＵ）とを含む。
【００８９】
具体的には、ステーションの各データ送信において、ステーションの集約データの長さは限定される。各伝送時の集約データの長さは、許容最大伝送長を超えることはできない。加えて、複数のＡＣのデータの集約が許可されたとき、プライマリＡＣのデータが最初に集約されてから、次にセカンダリＡＣのデータが集約される必要がある。現在の規格では、集約データは、Ａ−ＭＰＤＵ形式及びＭＰＤＵ単位の集約によって取得される。
【００９０】
図９に示される第４の概略データ伝送図を参照されたい。図９において、ステーションによる第１の伝送時、プライマリＡＣのデータの伝送は完了していない。第２の伝送時、プライマリＡＣの残りのデータの長さが、ステーションによって許容される最大伝送長に達しないと仮定する。したがって、プライマリＡＣの残りのデータと、１つ以上のセカンダリＡＣのデータとを集約して、第１の集約データを得ることができる。留意すべきこととして、第１の集約データは、少なくとも１つのセカンダリＡＣのデータと、プライマリＡＣのデータの最後の媒体アクセス制御プロトコルデータユニット（MAC  Protocol  Data  Unit、略称ＭＰＤＵ）とを含んでよい。第１の集約データは、プライマリＡＣのデータの集約及び伝送が第２の伝送時に完了することを保証するために、プライマリＡＣのデータの最後のＭＰＤＵを含む。図９に示される第１の集約データは、プライマリＡＣの残りのデータとセカンダリＡＣ１の一部のデータとを含む。しかしながら、本発明はこれに限定されない。つまり、プライマリＡＣの残りのデータとセカンダリＡＣ１のデータが集約された後、ステーションによって許容される最大伝送長にまだ達していない場合、他のセカンダリＡＣのデータが引き続き集約されて、第１の集約データが得られてもよい。任意に、プライマリＡＣの全てのデータの長さの合計がステーションによって許容される最大伝送長に達しないとき、セカンダリＡＣのデータは第１の伝送時に集約することができる。
【００９１】
任意に、プライマリＡＣのデータの最後のＭＰＤＵが第１の集約データに含まれることは、より詳細な視点から、プライマリＡＣの２つのＴＩＤに対応するデータの最後のＭＰＤＵが含まれることとして、理解することができる。加えて、プライマリＡＣのデータの集約が完了した後、セカンダリＡＣの優先度の高いＴＩＤに対応するデータは、セカンダリＡＣのデータの集約時に優先的に集約されてよい。任意に、プライマリＡＣのデータとセカンダリＡＣのデータとの集約時、比較的高い優先度を有するセカンダリＡＣのデータが最初に集約されてよい。集約データの長さが依然として、ステーションによって許容される最大伝送長に達しない場合、より低い優先度を有するセカンダリＡＣのデータが引き続き集約されてよい。当然ながら、優先度の比較的高いセカンダリＡＣのデータを集約するか、或いは優先度の比較的低いセカンダリＡＣのデータを集約するかに関わらず、現在のセカンダリＡＣの優先度が比較的高いＴＩＤに対応するデータは、集約時に最初に集約されてよい。
【００９２】
ステーションが現在のＴＸＯＰ内に第１の集約データを伝送した後、第１の集約データはプライマリＡＣのデータの最後のＭＰＤＵを含むので、これは、ステーションが現在のＴＸＯＰ内に、プライマリＡＣのデータの全部の伝送を完了したことを示す。
【００９３】
Ｓ４０２．プライマリＡＣのデータの伝送が完了した後、ステーションが、ＴＸＯＰに残り時間があるか否かを決定する。
【００９４】
このステップでは、留意すべきこととして、プライマリＡＣのデータの送信が完了した後、ステーションが現在のＴＸＯＰに残り時間があるか否かを決定することは、具体的には、第１の集約データの伝送が完了した後、ステーションが現在のＴＸＯＰに依然として残り時間があるか否かを決定することである。
【００９５】
Ｓ４０３．プライマリＡＣのデータの伝送が完了した後、ステーションがＴＸＯＰに残り時間があると決定した場合、ステーションが、残り時間内に第２の集約データを伝送する。第２の集約データは、少なくとも１つのセカンダリＡＣの中で最も優先度の高い第３のセカンダリＡＣのデータの最後のＭＰＤＵと、第３のセカンダリＡＣ以外のセカンダリＡＣのデータとを含む。
【００９６】
具体的には、第１の集約データの伝送が完了した後、ステーションがまだＴＸＯＰに残り時間があると決定した場合、ステーションは、残り時間内に第２の集約データを伝送してよい。任意に、第２の集約データを取得するための集約時、ステーションは、ステーションによって許容される最大伝送長に従って、任意の２つのセカンダリＡＣのデータを集約し、次に集約データを伝送されてよい。集約によって得られる第２の集約データは、少なくとも１つのセカンダリＡＣのデータの最後のＭＰＤＵを含む必要がある。或いは、より詳細な視点から、第２の集約データが、少なくとも１つのセカンダリＡＣにおける２つのＴＩＤに対応するデータの最後のＭＰＤＵを含むことが理解される。図９では、セカンダリＡＣ１は全てのセカンダリＡＣの中で最も優先度が高く、セカンダリＡＣ２の優先度はセカンダリＡＣ１の優先度よりも低い。
【００９７】
任意に、ステーションは、代替として、現在の残りのセカンダリＡＣの優先順位を決定し、優先順位の高い順に、ステーションによって許容される最大伝送長に従って、データ集約を実行してよい。この方式で得られる第２の集約データは、優先度が最も高い第３のセカンダリＡＣのデータの最後のＭＰＤＵを含む必要がある。或いは、より詳細な視点から、第２の集約データが、第３のセカンダリＡＣの２つのＴＩＤに対応するデータの最後のＭＰＤＵを含むことが理解される。任意に、ステーションは、ステーションによって許容される最大伝送長に従って、第３のセカンダリＡＣのデータと、第３のセカンダリＡＣ以外のセカンダリＡＣのデータとを集約してよい。ここで、第３のセカンダリＡＣのデータとその他のセカンダリＡＣのデータとの集約時、第３のセカンダリＡＣと任意の優先度の他のセカンダリＡＣのデータが集約されてもよいし、他のセカンダリＡＣの優先順位に従ってデータ集約が実行されてもよい。任意に、他のセカンダリＡＣのデータの集約時、セカンダリＡＣの比較的優先度の高いＴＩＤに対応するデータが最初に集約されてよい。
【００９８】
代替として、Ｓ４０３は更に、ステーションが、残り時間内に第３の集約データを送信するステップであってよい。第３の集約データは、セカンダリＡＣの比較的優先度の高いＴＩＤに対応するデータの最後のＭＰＤＵと、セカンダリＡＣの優先度の低いＴＩＤに対応するデータの少なくとも１つのＭＰＤＵとを含む。
【００９９】
具体的には、ステーションは、代替として、セカンダリＡＣの異なるＴＩＤに対応するデータを集約してよい。つまり、セカンダリＡＣのデータの長さは、ステーションによって許容される最大伝送長を超える。この場合、集約時、ステーションは、セカンダリＡＣの優先度の高いＴＩＤに対応するデータを優先的に集計し、次に、セカンダリＡＣの優先度の低いＴＩＤに対応するデータを集約してよい。１回の伝送時、優先度の高いＴＩＤに対応する全てのデータの伝送が完了することを保証するために、得られた第３の集約データは、セカンダリＡＣの優先度の高いＴＩＤに対応するデータの最後のＭＰＤＵと、ＡＣの優先度の低いＴＩＤに対応するデータの少なくとも１つのＭＰＤＵとを含む必要がある。留意すべきこととして、該集約方式はプライマリＡＣにも適用可能である。すなわち、プライマリＡＣのデータの長さがステーションによって許容される最大伝送長を超えると、集約時、ステーションは、プライマリＡＣの優先度の高いＴＩＤに対応するデータを優先的に集計し、次に、プライマリＡＣの優先度の低いＴＩＤに対応するデータを集約してよい。
【０１００】
結論として、本発明の本実施形態において提供されるデータ伝送方法によれば、１つ以上のＡＣのデータが集約され、伝送される。したがって、現在のＴＸＯＰ内の送信対象の確認応答フレームとフレーム間間隔の量が低減されるので、ステーションは、現在のＴＸＯＰ内に１つ以上のＡＣのデータを最大限に伝送することができ、これにより、ステーションのデータ伝送効率が改善され、チャネルリソースが低減される。
【０１０１】
図１０は、本発明の実施形態に係る第３のデータ伝送方法実施形態の概略フローチャートである。本実施形態では、ステーションは非ＡＰステーションである。本実施形態は、複数の非ＡＰシステムが、ＡＰによって配信されるＴＦに従ってマルチユーザアップリンク伝送を実行するという具体的なプロセスを提供する。ここで、マルチユーザアップリンク伝送は、直交周波数分割多元接続（Orthogonal  Frequency  Division  Multiple  Access、略称ＯＦＤＭＡ）又はマルチユーザ多入力多出力（Multi-User  Multiple-Input  Multiple-Output、略称MU-MIMO）モードで実行されてよい。留意すべきこととして、上述のプロセスは非ＡＰステーションの実行プロセスである。全ての非ＡＰステーションの実行プロセスは同じである。本実施形態では、ＴＦは１つのＡＣの識別子を搬送する。
【０１０２】
図２に示される実施形態に基づき、Ｓ１０１の前に、本方法は更に以下のステップを含んでよい。
【０１０３】
Ｓ５０１．ステーションが、プライマリＡＣの識別子を搬送し且つＡＰによって送信されるトリガフレーム（Trigger  Frame、略称ＴＦ）を受信する。ＴＦは、ステーションにプライマリＡＣのデータを集約するように指示するのに用いられる。
【０１０４】
本実施形態では、理解されるべきこととして、ＡＰは複数のＡＣの識別子を含み、ステーションも複数のＡＣの識別子を含む。既存のＩＥＥＥ８０２．１１規格を例として用いる。ＡＰの複数のＡＣの識別子は、それぞれＡＣ＿ＶＯ、ＡＣ＿Ｖｉ、ＡＣ＿ＢＥ、ＡＣ＿ＢＫである。ステーションの複数のＡＣの識別子も、それぞれＡＣ＿ＶＯ、ＡＣ＿Ｖｉ、ＡＣ＿ＢＥ、ＡＣ＿ＢＫである。
【０１０５】
具体的には、ＡＰは、最初にステーションにＴＦを送信する。ＴＦは、プライマリＡＣの識別子を搬送して、この識別子を伴うＡＣのデータが現在集約される必要があることをステーション（すなわち非ＡＰステーション）に通知する。例えば、最初に送信されたＴＦによって搬送されるプライマリＡＣの識別子がＡＣ＿ＶＯであると仮定すると、非ＡＰステーションのＡＣ＿ＶＯを伴うＡＣのデータが現在集約される必要があることを、非ＡＰステーションに通知することを意味する。
【０１０６】
Ｓ５０２．ステーションが、ＴＦの指示に従って、プライマリＡＣの送信対象データがあるか否かを決定する。プライマリＡＣの送信対象データがある場合、Ｓ５０３が実行される。プライマリＡＣの送信対象データがない場合、Ｓ５０４が実行される。
【０１０７】
Ｓ５０３．プライマリＡＣの送信対象データがある場合、ステーションが、プライマリＡＣのデータを集約して第４の集約データを取得する。
【０１０８】
Ｓ１０１は、具体的には、ステーションが、ＴＸＯＰ内に、第４の集約データをＡＰに送信するステップであってよい。
【０１０９】
具体的には、ＴＦの指示に従って、プライマリＡＣの送信対象データがあると決定したとき、ステーションは、プライマリＡＣのデータを集約して第４の集約データを取得する。任意に、第４の集約データは、少なくとも１つのセカンダリＡＣのデータと、プライマリＡＣのデータの最後のＭＰＤＵとを含む。任意に、ステーションのプライマリＡＣの全てのデータの長さの合計が許容される最大伝送長に等しいと仮定すると、第４の集約データは、プライマリＡＣの他のデータと、プライマリＡＣのデータの最後のＭＰＤＵとを含んでよい。任意に、ステーションのプライマリＡＣの全てのデータの長さの合計が許容される最大伝送長を超えると仮定すると、第４の集約データは、プライマリＡＣの優先度の高いＴＩＤに対応するデータの最後のＭＰＤＵと、プライマリＡＣの優先度の低いＴＩＤに対応するデータの少なくとも１つのＭＰＤＵとを含んでよい。加えて、プライマリＡＣの優先度の低いＴＩＤに対応する残りのデータについては、ステーションは、優先度の低いＴＩＤに対応する残りのデータと、他のセカンダリＡＣのデータとを集約してよい。具体的なデータ集約方式については、上述の第２の実施形態の記述を参照することができる。ここでは詳細の説明を省略する。
【０１１０】
加えて、留意すべきこととして、毎回ＡＰによって配信されるＴＦは、ステーションのアップリンク伝送に対応する。ＡＰによって送られた任意の１回のＴＦに対応するアップリンク伝送では、各ステーションによって伝送される全ての集約データにおいて、少なくとも１つの集約データ全体がプライマリＡＣのデータから成る場合、現在のアップリンク伝送は、ＡＰに、次に配信されるＴＦにおいて、ステーションに次のアップリンク伝送時にプライマリＡＣのデータの集約を継続するように指示することを継続するように指示するのに用いられる。つまり、各ステーションによって伝送される全ての集約データにおいて、少なくとも１つの集約データ全体がプライマリＡＣのデータから成る場合、ＡＰに、現在のプライマリＡＣの識別子を次に配信されるＴＦに付加することを継続するように指示することに相当する。任意に、各ステーションによって伝送される全ての集約データは指示フィールドを含む。指示フィールドは、ステーションのＡＣの送信対象データがあるか否かを示すことができる。ＡＰによって送られた任意の１回のＴＦに対応するアップリンク伝送では、各ステーションによって伝送される全ての集約データにおいて、少なくとも１つの集約データ全体がプライマリＡＣのデータから成り、且つ集約データの指示フィールドが１である（ここで、指示フィールド１は、ＡＰのプライマリＡＣの送信対象データが依然として存在することを示す）とき、指示フィールドは、ＡＰに、プライマリＡＣの識別子を次に配信されるＴＦに付加することを継続するように指示するのに用いられ、よって、ステーションは、次のアップリンク伝送時に、プライマリＡＣのデータの集約を継続する。次のアップリンク伝送時、プライマリＡＣのデータの長さが許容される最大伝送長に達しない場合、プライマリＡＣの最後のＭＰＤＵの集約が完了した後、他のセカンダリＡＣのデータが集約され続けてよい。具体的なデータ集約方式については、上述の第２の実施形態の記述を参照することができる。ここでは詳細の説明を省略する。任意に、指示フィールドはMore  dataフィールドであってよい。
【０１１１】
任意に、ＡＰによって送られた任意の１回のＴＦに対応するアップリンク伝送では、各ステーションによって伝送される全ての集約データがセカンダリＡＣのデータを含むとき、現在のアップリンク伝送は、ＡＰに、次に配信されるＴＦにおいて、ステーションに次のアップリンク伝送時にセカンダリＡＣのデータを集約するように指示するように指示するのに用いられる。つまり、各ステーションによって伝送される全ての集約データがセカンダリＡＣのデータを含むとき、ＡＰに、セカンダリＡＣの識別子を次に配信されるＴＦに付加するように指示することに相当する。よって、ステーションは、次のアップリンク伝送時に、セカンダリＡＣのデータを集約することができる。任意に、各ステーションによって伝送される全ての集約データは指示フィールドを含む。指示フィールドは、ステーションのＡＣの送信対象データがあるか否かを示すことができる。ＡＰによって送られた任意の１回のＴＦに対応するアップリンク伝送では、各ステーションによって伝送される全ての集約データのうち、プライマリＡＣのデータを含む、集約データの全ての指示フィールドが０であるとき（ここで、指示フィールド０は、ＡＰのプライマリＡＣの送信対象データがないことを示す）、指示フィールドは、ステーションが次のアップリンク伝送時にセカンダリＡＣのデータを集約できるように、ＡＰに、セカンダリＡＣの識別子を次に配信されるＴＦに付加することを継続するように指示するのに用いられる。次のアップリンク伝送時、セカンダリＡＣのデータの長さが許容される最大伝送長に達しない場合、セカンダリＡＣの最後のＭＰＤＵの集約が完了した後、他のセカンダリＡＣのデータが集約され続けてよい。具体的なデータ集約方式については、上述の第２の実施形態の記述を参照することができる。ここでは詳細の説明を省略する。任意に、指示フィールドはMore  dataフィールドであってよい。
【０１１２】
任意に、指示フィールドは、ＡＰに、次に配信されるＴＦにおいて、ステーションに、次のアップリンク伝送時に、優先度がプライマリＡＣの優先度よりも高いセカンダリＡＣのデータを集約するように指示するように指示するのに用いられてよい。つまり、指示フィールドは、ＡＰに、次に配信されるＴＦに、優先度がプライマリＡＣの優先度よりも高いセカンダリＡＣの識別子を付加するように指示するのに用いられる。よって、ステーションは、次のアップリンク伝送時に、セカンダリＡＣのデータを集約することができる。次のアップリンク伝送時、セカンダリＡＣのデータの長さが許容される最大伝送長に達しない場合、セカンダリＡＣの最後のＭＰＤＵの集約が完了した後、他のセカンダリＡＣのデータが集約され続けてよい。具体的なデータ集約方式については、上述の第２の実施形態の記述を参照することができる。ここでは詳細の説明を省略する。
【０１１３】
任意に、指示フィールドは、ＡＰに、次に配信されるＴＦにおいて、ステーションに、次のアップリンク伝送時に最も優先度の高いセカンダリＡＣのデータを集約するように指示するように指示するのに用いられてよい。つまり、指示フィールドは、ＡＰに、最も優先度の高いセカンダリＡＣの識別子を次に配信されるＴＦに付加するように指示するのに用いられる。よって、ステーションは、次のアップリンク伝送時にセカンダリＡＣのデータを集約することができる。次のアップリンク伝送時、セカンダリＡＣのデータの長さが許容される最大伝送長に達しない場合、セカンダリＡＣの最後のＭＰＤＵの集約が完了した後、他のセカンダリＡＣのデータが集約され続けてよい。具体的なデータ集約方式については、上述の第２の実施形態の記述を参照することができる。ここでは詳細の説明を省略する。
【０１１４】
Ｓ５０４．ステーションが、少なくとも１つのセカンダリＡＣのデータを集約する。
【０１１５】
任意に、ステーションが、ＴＦの指示に従って、プライマリＡＣの送信対象データがないと決定したとき、ステーションは、任意の１つ以上のセカンダリＡＣのデータを集約してもよいし、優先度がプライマリＡＣの優先度よりも高いセカンダリＡＣのデータと、他のセカンダリＡＣのデータとを集約してもよいし、少なくとも１つのセカンダリＡＣの中で最も優先度の高いセカンダリＡＣのデータと、他のセカンダリＡＣのデータとを集約してもよい。具体的なデータ集約方式については、上述の第２の実施形態の記述を参照することができる。ここでは詳細の説明を省略する。
【０１１６】
本発明の本実施形態において提供されるデータ伝送方法によれば、マルチユーザアップリンク伝送シナリオが記述される。すなわち、現在のＴＸＯＰ内に、各非ＡＰステーションは、ＡＰからのＴＦに従って、次のアップリンク伝送時に集約されるＡＣのタイプを決定し、対応するタイプのＡＣのデータを集約し、ＡＰに、集約により得られた集約データを伝送することができる。このように、ＴＸＯＰの時間はより十分に利用され、送信対象の確認応答フレームとフレーム間間隔の量がデータ集約によって低減され、これにより、チャネルリソースが低減し、ステーションのデータ伝送効率が改善される。
【０１１７】
図１１は、本発明の実施形態に係る第４のデータ伝送方法実施形態の概略フローチャートである。本実施形態では、ステーションは非ＡＰステーションである。本実施形態は、複数の非ＡＰステーションが、ＡＰによって配信されるＴＦに従ってマルチユーザアップリンク伝送を実行するという、具体的なプロセスを提供する。留意すべきこととして、図１０と同様に、上述プロセスは非ＡＰステーションの実行プロセスである。全ての非ＡＰシステムの実行プロセスは同じである。本実施形態では、ＴＦはＡＣの識別子を搬送してよく、或いは複数のＡＣの識別子を搬送してよい。
【０１１８】
図２に示される実施形態に基づき、Ｓ１０１の前に、本方法は更に以下のステップを含んでよい。
【０１１９】
Ｓ６０１．ステーションが、ＡＰに第１のメッセージを送信する。第１のメッセージは、ＡＰが第１のメッセージに従ってステーションにトリガフレーム（ＴＦ）を送信できるように、ＡＰに対して、ステーションの各ＡＣの送信対象データがあるか否かを示すのに用いられる。
【０１２０】
具体的には、各ステーションは、第１のメッセージをＡＰに送信して、ＡＰに、ステーションのＡＣの一時記憶データの状態を通知する。つまり、ＡＰに、現在、ステーションの特定のＡＣの送信対象データがあることと、ステーションの特定のＡＣの送信対象データがないこととを通知する。任意に、各ステーションは更に、ステーションの現在の全てのＡＣの一時記憶データのサイズ及び優先度などを、ＡＰに通知してよい。
【０１２１】
Ｓ６０２．ステーションが、プライマリＡＣの識別子を搬送しＡＰによって送信されたＴＦを受信する。ＴＦは、ステーションにプライマリＡＣのデータを集約するように指示するのに用いられる。
【０１２２】
具体的には、各ステーションによって送信された第１のメッセージを受信すると、ＡＰは、ステーションの各ＡＣの送信対象データの状態を把握し、状態に従って、ＴＸＯＰが競合される特定の識別子を伴うＡＣを決定し、該識別子を伴うＡＣをプライマリＡＣとして用い、プライマリＡＣの識別子をＴＦに付加し、ＴＦを各ステーションに送信する。よって、ステーションは、ＴＦ内のプライマリＡＣの識別子に従って、該識別子に対応する、ステーションのＡＣのデータを集約する。例えば、２つのステップがあると仮定する。２つのステーションの両方は、第１のメッセージを用いてＡＰに、ステーションについて、ＡＣ＿ＶＯの送信対象データがあり、ＡＣ＿Ｖｉの送信対象データがあり、ＡＣ＿ＢＥの送信対象データがなく、ＡＣ＿ＢＫの送信対象データがないことを示す。この場合、ＡＰは、２つの第１のメッセージに従ってＡＣ＿ＶＯのためにＴＸＯＰについて競合し、ＡＣ＿ＶＯをプライマリＡＣとして用いる。したがって、ＡＰはＡＣ＿ＶＯ（ＡＣ＿ＶＯは実際には識別子である）をＴＦに付加し、ＴＦを２つのステーションに送信するので、２つのステーションは、２つのステーションのＡＣ＿ＶＯのデータを集約することができる。言い換えると、各ステーションのＡＣの送信対象データがあるとき、ＡＰは、ＡＣのためにＴＸＯＰについて競合し、ＡＣをプライマリＡＣとして用い、ＡＣの識別子をＴＦに付加して、ステーションにプライマリＡＣのデータを集約するように指示してよい。任意に、一部のステーションのＡＣの送信対象データがあり、他のステーションのＡＣの送信対象データがないとき、ＡＰは、ＡＣのためにＴＸＯＰについて競合し、ＡＣをプライマリＡＣとして用い、ＡＣの識別子及び他のセカンダリＡＣの識別子をＴＦに付加して、ステーションに、プライマリＡＣのデータ及びセカンダリＡＣのデータを集約するように指示してよい。識別子は１つ以上存在してよく、それぞれのセカンダリＡＣは１つの識別子に対応する。
【０１２３】
Ｓ６０３．ステーションが、ＴＦに従ってプライマリＡＣのデータを集約して、第５の集約データを取得する。
【０１２４】
Ｓ１０１は、具体的には、ステーションが、ＴＸＯＰ内に第５の集約データをＡＰに送信するステップであってよい。
【０１２５】
ＴＦがプライマリＡＣの識別子のみを搬送すると仮定する。プライマリＡＣのデータの長さが許容される最大伝送長に達しない場合、プライマリＡＣの最後のＭＰＤＵの集約が完了した後、他のセカンダリＡＣのデータが引き続き集約されて、第５の集約データが取得されてよい。プライマリＡＣのデータの長さが許容される最大伝送長を超える場合、ステーションは最初にプライマリＡＣの優先度の高いＴＩＤに対応するデータを集約し、次に、プライマリＡＣの優先度の低いＴＩＤに対応するデータを集約して、第５の集約データを取得してよい。加えて、プライマリＡＣの優先度の低いＴＩＤに対応する残りのデータについては、ステーションは、優先度の低いＴＩＤに対応する残りのデータと、その他のセカンダリＡＣのデータとを集約してよい。具体的なデータ集約方式については、上述の第２の実施形態の記述を参照することができる。ここでは詳細の説明を省略する。
【０１２６】
ＴＦがプライマリＡＣの識別子と任意のセカンダリＡＣの識別子とを搬送すると仮定する。プライマリＡＣのデータ及び任意のセカンダリＡＣのデータの長さの合計が許容される最大伝送長に達しない場合、これらのＡＣのデータの集約が完了した後、他のセカンダリＡＣのデータが引き続き集約されて、第５の集約データが取得されてよい。具体的なデータ集約方式については、上述の第２の実施形態の記述を参照することができる。ここでは詳細の説明を省略する。
【０１２７】
言い換えると、第５の集約データは、少なくとも１つのセカンダリＡＣのデータと、プライマリＡＣのデータの最後のＭＰＤＵとを含んでよい。任意に、ステーションのプライマリＡＣの全てのデータの長さの合計が許容される最大伝送長に等しいと仮定されると、第５の集約データは、プライマリＡＣの他のデータと、プライマリＡＣのデータの最後のＭＰＤＵとを含んでよい。任意に、ステーションのプライマリＡＣの全てのデータの長さの合計が許容される最大伝送長を超えると仮定すると、第５の集約データは、プライマリＡＣの優先度の高いＴＩＤに対応するデータの最後のＭＰＤＵと、プライマリＡＣの優先度の低いＴＩＤに対応するデータの少なくとも１つのＭＰＤＵとを含んでよい。
【０１２８】
加えて、留意すべきこととして、毎回ＡＰによって配信されるＴＦは、ステーションの１つのアップリンク伝送に対応する。任意に、各ステーションによって伝送される全ての集約データは指示フィールドを含んでよい。指示フィールドは、ステーションのＡＣの送信対象データがあるか否かを示してよい。指示フィールド１は、ステーションのＡＣの送信対象データがあることを示し、指示フィールド０は、ステーションのＡＣの送信対象データがないことを示す。当然ながら、指示フィールドの値０と１の意味の交換も、本特許の解決策に適用可能である。１つの集約データが複数のＡＣのデータを含むとき、複数の指示フィールドが含まれてよい。各指示フィールドは、対応するＡＣの送信対象データがあるか否かを示すために用いられる。例えば、指示フィールド０はＡＣ０に対応し、指示フィールド１はＡＣ１に対応する。これは、ステーションのＡＣ０の送信対象データがなく、ステーションのＡＣ１の送信対象データがあることを示す。
【０１２９】
ＡＰによって送られた任意の１回のＴＦに対応するアップリンク伝送では、各ステーションによって伝送される全ての集約データ全体がプライマリＡＣのデータから成り、且つ全ての集約データの指示フィールドが１である（ここで、指示フィールド１は、各ステーションのプライマリＡＣの送信対象データが依然として存在することを示す）とき、現在のアップリンク伝送は、ＡＰに、次に配信されるＴＦにおいて、ステーションに、次のアップリンク伝送時にプライマリＡＣのデータの集約を指示することを継続することを指示するのに用いられる。つまり、各ステーションによって伝送される全ての集約データ全体がプライマリＡＣのデータから成り、且つ全ての集約データの指示フィールドが１であるとき、ＡＰに、現在のプライマリＡＣの識別子を次に配信されるＴＦに付加することを継続するように指示することに相当する。任意に、各ステーションによって伝送される全ての集約データは、代替として、指示フィールドを含まなくてよい。この場合、ＡＰによって送られた任意の１回のＴＦに対応するアップリンク伝送では、各ステーションによって伝送される全ての集約データ全体がプライマリＡＣのデータから成るとき、ＡＰに、現在のプライマリＡＣの識別子を次に配信されるＴＦに付加することを継続するように指示することに相当する。よって、ステーションは、次のアップリンク伝送時に、プライマリＡＣのデータの集約を継続することができる。具体的なデータ集約方式については、上述の第２の実施形態の記述を参照することができる。ここでは詳細の説明を省略する。
【０１３０】
任意に、ＡＰによって送られた任意の１回のＴＦに対応するアップリンク伝送では、各ステーションによって伝送される全ての集約データにおいて、少なくとも１つの集約データがプライマリＡＣのデータを含み、且つプライマリＡＣのデータを含む集約データの指示フィールドが０である（ここで、指示フィールド０は、ステーションのプライマリＡＣの送信対象データがないことを示す）とき、また、少なくとも１つの集約データがプライマリＡＣのデータを含み、且つプライマリＡＣのデータを含む集約データの指示フィールドが１である（ここで、指示フィールド１は、別のステーションのプライマリＡＣの送信対象データが依然として存在することを示す）とき、現在のアップリンク伝送は、ＡＰに、次に配信されるＴＦにおいて、ステーションに、次のアップリンク伝送時に、プライマリＡＣのデータの集約、又はプライマリＡＣのデータ及びセカンダリＡＣのデータの集約を継続するように指示するように指示するのに用いられる。言い換えると、各ステーションによって伝送される全ての集約データにおいて、少なくとも１つの集約データがプライマリＡＣのデータを含み、且つプライマリＡＣのデータを含む集約データの指示フィールドが０であるとき、また、少なくとも１つの集約データがプライマリＡＣのデータを含み、且つプライマリＡＣのデータを含む集約データの指示フィールドが１であるとき、ＡＰに、現在のプライマリＡＣの識別子又は現在のプライマリＡＣの識別子と任意のセカンダリＡＣ（任意のセカンダリＡＣは、送信対象データに対応する、ＳＴＡのセカンダリＡＣである）の識別子とを、次に配信されるＴＦに付加することを継続するように指示することに相当する。よって、ステーションは、次のアップリンク伝送時に、プライマリＡＣのデータを集約し、又は、プライマリＡＣのデータ及びセカンダリＡＣのデータとを集約する。具体的なデータ集約方式については、上述の第２の実施形態の記述を参照することができる。ここでは詳細の説明を省略する。
【０１３１】
任意に、ＡＰによって送られた任意の１回のＴＦに対応するアップリンク伝送では、各ステーションによって伝送される全ての集約データにおいて、少なくとも１つの集約データがプライマリＡＣのデータを含まないとき、また、少なくとも１つの集約データがプライマリＡＣのデータを含み、且つプライマリＡＣのデータを含む集約データの指示フィールドが１である（ここで、指示フィールド１は、ステーションのプライマリＡＣの送信対象データが依然として存在することを示す）とき、現在のアップリンク伝送は、ＡＰに、次に配信されるＴＦにおいて、ステーションに、次のアップリンク伝送時に、プライマリＡＣのデータの集約、又は、プライマリＡＣのデータ及びセカンダリＡＣのデータの集約を継続するように指示するように指示するのに用いられる。つまり、各ステーションによって伝送される全ての集約データにおいて、少なくとも１つの集約データがプライマリＡＣのデータを含まないとき、また、少なくとも１つの集約データがプライマリＡＣのデータを含み、且つプライマリＡＣのデータを含む集約データの指示フィールドが１であるとき、ＡＰに、プライマリＡＣの識別子、又はプライマリＡＣの識別子及び任意のセカンダリＡＣ（任意のセカンダリＡＣは、送信対象データに対応する、ＳＴＡのセカンダリＡＣである）の識別子を、次に配信されるＴＦに付加することを継続するように指示することに相当する。よって、ステーションは、次のアップリンク伝送時に、プライマリＡＣのデータを集約し、また、プライマリＡＣのデータ及びセカンダリＡＣのデータを集約する。具体的なデータ集約方式については、上述の第２の実施形態の記述を参照することができる。ここでは詳細の説明を省略する。
【０１３２】
任意に、ＡＰによって送られた任意の１回のＴＦに対応するアップリンク伝送では、各ステーションによって伝送される全ての集約データにおいて、少なくとも１つの集約データがプライマリＡＣのデータを含み、且つプライマリＡＣのデータを含む集約データの指示フィールドが０である（ここで、指示フィールド０は、ステーションのプライマリＡＣの送信対象データがないことを示す）とき、又は、どの集約データもプライマリＡＣのデータを含まないとき、現在のアップリンク伝送は、ＡＰに、次に配信されるＴＦにおいて、ステーションに次のアップリンク伝送時にセカンダリＡＣのデータを集約するように指示するように指示するのに用いられる。言い換えると、各ステーションによって伝送される全ての集約データにおいて、少なくとも１つの集約データがプライマリＡＣのデータを含み、且つプライマリＡＣのデータを含む集約データの指示フィールドが０であるとき、又は、どの集約データもプライマリＡＣのデータを含まないとき、ＡＰに、任意のセカンダリＡＣ（任意のセカンダリＡＣは、送信対象データに対応する、ＳＴＡのセカンダリＡＣである）の識別子を次に配信されるＴＦに付加することを継続するように指示することに相当する。よって、ステーションは、次のアップリンク伝送時に、セカンダリＡＣのデータを集約する。具体的なデータ集約方式については、上述の第２の実施形態の記述を参照することができる。ここでは詳細の説明を省略する。
【０１３３】
各ステーションによって伝送された集約データのいずれも指示フィールドを含まないとき、代替として、ＡＰは、配信されたＴＦに対応するＡＣの識別子を付加するように指示されてよい。詳細については、以下のいくつかの任意の方式を参照することができる。
【０１３４】
任意に、ＡＰによって送られた任意の１回のＴＦに対応するアップリンク伝送では、各ステーションによって伝送される全ての集約データにおいて、少なくとも１つの集約データ全体がプライマリＡＣのデータから成り、且つ少なくとも１つの集約データがセカンダリＡＣのデータを含むとき、現在のアップリンク伝送は、ＡＰに、次に配信されるＴＦにおいて、ステーションが、次のアップリンク伝送時に、プライマリＡＣのデータ及びセカンダリＡＣのデータを集約するように指示するように指示するのに用いられる。言い換えると、各ステーションによって伝送される全ての集約データにおいて、少なくとも１つの集約データ全体がプライマリＡＣのデータから成り、且つ少なくとも１つの集約データがセカンダリＡＣのデータを含むとき、ＡＰに、プライマリＡＣの識別子及び任意のセカンダリＡＣ（任意のセカンダリＡＣは、送信対象データに対応する、ＳＴＡのセカンダリＡＣである）の識別子を、次に配信されるＴＦに付加することを継続するように指示することに相当する。よって、ステーションは、次のアップリンク伝送時に、プライマリＡＣのデータ及びセカンダリＡＣのデータを集約する。具体的なデータ集約方式については、上述の第２の実施形態の記述を参照することができる。ここでは詳細の説明を省略する。
【０１３５】
任意に、ＡＰによって送られた任意の１回のＴＦに対応するアップリンク伝送では、各ステーションによって伝送される全ての集約データがセカンダリＡＣのデータを含むとき、現在のアップリンク伝送は、ＡＰに、次に配信されるＴＦにおいて、ステーションに、次のアップリンク伝送時に１つ以上のセカンダリＡＣのデータを集約するように指示するように指示するのに用いられる。言い換えると、各ステーションによって伝送される全ての集約データがセカンダリＡＣのデータを含むとき、ＡＰに、１つ以上のセカンダリＡＣ（セカンダリＡＣは、送信対象データに対応する、ＳＴＡのセカンダリＡＣである）の識別子を次に配信されるＴＦに付加するように指示することに相当する。よって、ステーションは、次のアップリンク伝送時に、１つ以上のセカンダリＡＣのデータを集約する．具体的なデータ集約方式については、上述の第２の実施形態の記述を参照することができる。ここでは詳細の説明を省略する。
【０１３６】
本発明の本実施形態において提供されるデータ伝送方法によれば、マルチユーザアップリンク伝送シナリオが記述される。すなわち、現在のＴＸＯＰ内に、各非ＡＰステーションは、ＡＰからのＴＦに従って、次のアップリンク伝送時に集約されるＡＣのタイプを決定し、対応するタイプのＡＣのデータを集約し、ＡＰに、集約により得られた集約データを伝送することができる。このように、ＴＸＯＰの時間はより十分に利用され、送信対象の確認応答フレームとフレーム間間隔の量がデータ集約によって低減され、これにより、チャネルリソースが低減し、ステーションのデータ伝送効率が改善される。
【０１３７】
本発明の実施形態はデータ伝送方法を提供する。本実施形態では、ステーションはＡＰである。本実施形態は、マルチユーザダウンリンク伝送時のＡＰの複数のＡＣのデータの集約プロセスを提供する。マルチユーザダウンリンク伝送時、ＡＰは、複数の非ＡＰシステムにデータを伝送する。伝送時にはタイムアライメントが必要となる。つまり、伝送は同時に開始して同時に終了する必要がある。本実施形態では、ＡＰが全ての非ＡＰステーションに伝送するデータは、集約データであってよい。１回のマルチユーザダウンリンク伝送時、同時に伝送される集約データは集約データ単位にグループ化される。ステーションは、現在のＴＸＯＰ内に１つ以上の集約データ単位を伝送する。各集約データ単位は、同時に伝送される１つ以上の集約データを含む。
【０１３８】
留意すべきこととして、ＡＰの各ＡＣは、非ＡＰステーションの異なる一時記憶データに対応してよい。非ＡＰステーションを例として用いる。
【０１３９】
ＡＰのプライマリＡＣとセカンダリＡＣの両方が、非ＡＰステーションの一時記憶データに対応すると仮定する。集約データを非ＡＰステーションに送信する前、ＡＰはまず、ＡＰによって一時的に記憶され且つプライマリＡＣに対応する非ＡＰステーションのデータを集約する。集約データの長さが許容される最大伝送長に達さないとき、ＡＰは次に、ＡＰによって一時的に記憶され且つセカンダリＡＣに対応する非ＡＰステーションのデータを集約する。言い換えると、ＡＰが集約データを非ＡＰステーションに送信する前に、プライマリＡＣ及びセカンダリＡＣのデータ集約時に、集約データは、プライマリＡＣに対応する、非ＡＰステーションの一時記憶データの最後のＭＰＤＵを含む必要がある。
【０１４０】
ＡＰのプライマリＡＣのみが非ＡＰステーションの一時記憶データに対応すると仮定する。集約データを非ＡＰステーションに送信する前に、ＡＰは、プライマリＡＣの優先度の高いＴＩＤ及び優先度の低いＴＩＤに対応する、非ＡＰステーションの一時記憶データを順次集約してよい。
【０１４１】
ＡＰのプライマリＡＣが非ＡＰステーションの一時記憶データに対応しないが、セカンダリＡＣが非ＡＰステーションの一時記憶データに対応すると仮定すると、ＡＰが集約データを非ＡＰステーションに送信するときには２つのケースがある。第１のケースは以下のとおりである。すなわち、セカンダリＡＣのデータの長さが許容される最大伝送長に等しい場合、集約データを非ＡＰステーションに送信する前に、ＡＰは、セカンダリＡＣの優先度の高いＴＩＤ及び優先度の低いＴＩＤに対応する、非ＡＰステーションの一時記憶データを順次集約してよい。つまり、セカンダリＡＣについてデータ集約が実行されるとき、集約データは、ＡＰのセカンダリＡＣの優先度の高いＴＩＤに対応する、非ＡＰステーションの一時記憶データの最後のＭＰＤＵを含む必要がある。第１のケースは以下のとおりである。すなわち、セカンダリＡＣのデータの長さが許容される最大伝送長に等しくない場合、集約データを非ＡＰステーションに送信する前に、ＡＰはまず、セカンダリＡＣに対応する、非ＡＰステーションの一時記憶データを集約してよい。集約データの長さが許容される最大伝送長に達しないとき、ＡＰは、ＡＰによって一時的に記憶され且つ他のセカンダリＡＣに対応する非ＡＰステーションのデータを集約する。つまり、ＡＰが集約データを非ＡＰステーションに送信する前に、セカンダリＡＣのデータの集約時、集約データは、任意のセカンダリＡＣに対応する、非ＡＰステーションの一時記憶データの最後のＭＰＤＵを含む。
【０１４２】
ＡＰによって実行される１回のダウンリンク伝送では、複数のステーションの集約データが集約データ単位を形成する。集約データ単位が、全体がプライマリＡＣのデータから成る１つ以上の第６の集約データを含むとき、第７の集約データの長さと第８の集約データの長さは共に第６の集約データの長さよりも大きくない。集約データ単位における第７の集約データは、プライマリＡＣのデータと、少なくとも１つのセカンダリＡＣのデータとを含み、集約データ単位における第８の集約データは、全体がセカンダリＡＣのデータから成る。第７の集約データは、プライマリＡＣに対応する、非ＡＰステーションの一時記憶データの最後のＭＰＤＵを含む。
【０１４３】
集約データ単位が第６の集約データを含まないが第７の集約データの１つ以上を含むとき、第８の集約データの長さは、全ての第７の集約データのうち最大長を有する第７の集約データの長さよりも大きくない。
【０１４４】
集約データ単位に第６の集約データと第７の集約データが含まれていないとき、任意の他の第８の集約データの長さは、少なくとも１つのセカンダリＡＣのうち最も優先度の高いセカンダリＡＣのデータを含む第８の集約データの長さよりも大きくない。
【０１４５】
図１２に示される第５の概略データ伝送図を参照すると、集約データ単位１の例では、集約データ単位１は３つの集約データを含み、その中には、全体がプライマリＡＣのデータから成る集約データセット３が含まれる。各集約データは、１つの非ＡＰステーションに対応する。集約データ１は第８の集約データであり、集約データ２は第７の集約データであり、集約データ３は第６の集約データである。図１２から、第７の集約データの長さと第８の集約データの長さが第６の集約データの長さよりも小さいことが分かる。集約データ単位２については、集約データ単位２は３つの集約データを含み、第６の集約データを含まない。この場合、図１２から、第８の集約データの長さは第７の集約データの長さよりも小さいことが分かる。集約データ単位３については、セカンダリＡＣ１の優先度が最も高く、集約データ単位３は第６の集約データ及び第７の集約データを含まず、第８の集約データのみを含む。この場合、図１２から、任意の他の第８の集約データの長さが、セカンダリＡＣ１のデータを含む第８の集約データよりも大きくないことが分かる。
【０１４６】
本発明の本実施形態において提供されるデータ伝送方法によれば、マルチユーザアップリンク伝送シナリオが記述される。すなわち、現在のＴＸＯＰ内に、ＡＰは、対応する集約データを複数の非ＡＰステーションに伝送することができる。このように、ＴＸＯＰの時間はより十分に利用され、送信対象の確認応答フレームとフレーム間間隔の量がデータ集約によって低減され、これにより、チャネルリソースが低減し、ステーションのデータ伝送効率が改善される。
【０１４７】
当業者であれば理解できるように、方法実施形態のステップの全部又は一部は、関連ハードウェアに指示するプログラムによって実現されてよい。プログラムは、コンピュータ可読記憶媒体に記憶されてよい。プログラムが実行されると、方法実施形態のステップが実行される。上述の記憶媒体は、ＲＯＭ、ＲＡＭ、磁気ディスク、光ディスクなど、プログラムコードを記憶することのできる任意の媒体を含む。
【０１４８】
図１３は、本発明の実施形態に係る第１のステーション実施形態の概略構造図である。図１３に示されるステーションの機能の一部又は全部は、ソフトウェアの形態で実現されてもよいし、ソフトウェア及びハードウェアの形態で実現されてもよい。図１３に示されるように、ステーションは、送受信モジュール１０及び第１の決定モジュール１１を備えてよい。
【０１４９】
送受信モジュール１０は、現在の伝送機会（ＴＸＯＰ）内にステーションのプライマリＡＣのデータを伝送するように構成される。ステーションの送信対象データは、プライマリＡＣのデータ及び少なくとも１つのセカンダリＡＣのデータを含む。
【０１５０】
第１の決定モジュール１１は、プライマリＡＣのデータの送信が完了した後、ステーションにより、ＴＸＯＰに残り時間があるか否かを決定するように構成される。
【０１５１】
送受信モジュール１０は更に、第１の決定モジュール１１がＴＸＯＰに残り時間があると決定したとき、残り時間内に少なくとも１つのセカンダリＡＣのデータを伝送するように構成される。
【０１５２】
図１３において、送受信モジュール１０は、送受信機能を有する送受信チップ又は送受信回路であってもよいし、送受信機能及び部分処理機能を有する送受信チップ又は送受信回路であってもよい。部分処理機能は、変調、復調、符号化、復号化、スクランブリング、デスクランブルなどの機能を含む。第１の決定モジュール１１は、処理機能を有する対応するプログラムがロードされたプロセッサ又はマイクロプロセッサであってよい。
【０１５３】
本発明の本実施形態で提供されるステーションは、第１の方法実施形態を実行することができる。その実施原理及び技術的効果は、第１の方法実施形態のものと同様であり、ここでは詳細の説明を省略する。
【０１５４】
任意に、送受信モジュール１０が残り時間内に少なくとも１つのセカンダリＡＣのデータを伝送するように構成されることは、
送受信モジュール１０が、具体的には、ステーションの第１のセカンダリＡＣグループ内の第１のセカンダリＡＣの優先順位を決定し、残り時間内に、優先順位の高い順に、第１のセカンダリＡＣグループ内の第１のセカンダリＡＣのデータを順次伝送するように構成されることを含む。第１のセカンダリＡＣグループは少なくとも１つの第１のセカンダリＡＣを含み、第１のセカンダリＡＣは送信対象データに対応するセカンダリＡＣである。
【０１５５】
任意に、送受信モジュール１０が残り時間内に少なくとも１つのセカンダリＡＣのデータを伝送するように構成されることは、
送受信モジュール１０が、具体的には、少なくとも１つのセカンダリＡＣから、優先度がプライマリＡＣの優先度よりも高い第２のセカンダリＡＣグループを決定し、残り時間内に第２のセカンダリＡＣグループのデータを伝送するように構成されることを含む。第２のセカンダリＡＣグループは少なくとも１つの第２のセカンダリＡＣを含み、第２のセカンダリＡＣは送信対象データに対応するセカンダリＡＣである。更に、送受信モジュール１０が具体的には残り時間内に第２のセカンダリＡＣグループのデータを伝送するように構成されることは、
送受信モジュール１０が、具体的には、第２のセカンダリＡＣグループ内の各第２のセカンダリＡＣの優先度を決定し、残り時間内に、第２のセカンダリＡＣの優先度の高い順に、第２のセカンダリＡＣのデータを順次伝送するように構成されることを含む。
【０１５６】
本発明の本実施形態で提供されるステーションは、第１の方法実施形態の２つの可能な実施を実行することができる。その実施原理及び技術的効果は、第１の方法実施形態のものと同様であり、ここでは詳細の説明を省略する。
【０１５７】
任意に、送受信モジュール１０が現在の伝送機会（ＴＸＯＰ）内にステーションのプライマリＡＣのデータを伝送するように構成されることは、送受信モジュール１０が、具体的には、ＴＸＯＰ内にステーションの第１の集約データを伝送するように構成されることを含む。第１の集約データは、少なくとも１つのセカンダリＡＣのデータと、プライマリＡＣのデータの最後の媒体アクセス制御プロトコルデータユニット（ＭＰＤＵ）とを含む。
【０１５８】
送受信モジュール１０が残り時間内に少なくとも１つのセカンダリＡＣのデータを伝送するように構成されることは、送受信モジュール１０が、具体的には、残り時間内に第２の集約データを伝送するように構成されることを含む。第２の集約データは、少なくとも１つのセカンダリＡＣの中で最も優先度の高い第３のセカンダリＡＣのデータの最後のＭＰＤＵと、第３のセカンダリＡＣ以外のセカンダリＡＣのデータとを含む。
【０１５９】
更に、送受信モジュール１０が残り時間内に少なくとも１つのセカンダリＡＣのデータを伝送するように構成されることは、送受信モジュール１０が、具体的には、残り時間内に第３の集約データを伝送するように構成されることを含む。第３の集約データは、セカンダリＡＣの優先度の高いトラフィック識別子（ＴＩＤ）に対応するデータの最後のＭＰＤＵと、セカンダリＡＣの優先度の低いＴＩＤに対応するデータの少なくとも１つのＭＰＤＵとを含む。
【０１６０】
本発明の本実施形態で提供されるステーションは、第２の方法実施形態を実行することができる。その実施原理及び技術的効果は、第２の方法実施形態のものと同様であり、ここでは詳細の説明を省略する。
【０１６１】
図１４は、本発明の実施形態に係る第２のステーション実施形態の概略構造図である。図１３に示される実施形態に基づいて、ステーションは更に、第２の決定モジュール１２及び第１の集約モジュール１３を備えてよい。
【０１６２】
送受信モジュール１０は更に、現在の伝送機会（ＴＸＯＰ）内にステーションのプライマリＡＣのデータを伝送する前に、プライマリＡＣの識別子を搬送し無線アクセスポイント（ＡＰ）によって送信されたトリガフレーム（ＴＦ）を受信するように構成される。ＴＦは、ステーションにプライマリＡＣのデータを集約するように指示するのに用いられる。
【０１６３】
第２の決定モジュール１２は、ＴＦの指示に従って、プライマリＡＣの送信対象データがあるか否かを決定するように構成される。
【０１６４】
第１の集約モジュール１３が、第２の決定モジュール１２がプライマリＡＣの送信対象データがあると決定したとき、プライマリＡＣのデータを集約して第４の集約データを取得するように構成される。
【０１６５】
送受信モジュール１０が現在の伝送機会（ＴＸＯＰ）内にステーションのプライマリＡＣのデータを伝送するように構成されることは、
送受信モジュール１０が、具体的には、ＴＸＯＰ内に第４の集約データをＡＰに送信するように構成されることを含む。
【０１６６】
更に、第４の集約データは、少なくとも１つのセカンダリＡＣのデータと、プライマリＡＣのデータの最後のＭＰＤＵとを含む。
【０１６７】
ＡＰによって送られた任意の１回のＴＦに対応するアップリンク伝送では、各ステーションによって伝送される全ての集約データにおいて、少なくとも１つの集約データ全体がプライマリＡＣのデータから成る場合、アップリンク伝送は、ＡＰに、次に配信されるＴＦにおいて、ステーションに次のアップリンク伝送時にプライマリＡＣのデータの集約を継続するように指示することを継続するように指示するのに用いられ、
又は、
ＡＰによって送られた任意の１回のＴＦに対応するアップリンク伝送では、各ステーションによって伝送される全ての集約データがセカンダリＡＣのデータを含むとき、アップリンク伝送は、ＡＰに、次に配信されるＴＦにおいて、ステーションに次のアップリンク伝送時にセカンダリＡＣのデータを集約するように指示するように指示するのに用いられる。
【０１６８】
更に、ステーションによって伝送される全ての集約データは指示フィールドを含み、
ＡＰによって送られた任意の１回のＴＦに対応するアップリンク伝送では、各ステーションによって伝送される全ての集約データにおいて、少なくとも１つの集約データ全体がプライマリＡＣのデータから成り、且つ少なくとも１つの集約データの指示フィールドが１であるとき、指示フィールドは、ＡＰに、次に配信されるＴＦにおいて、ステーションに次のアップリンク伝送時にプライマリＡＣのデータの集約を継続するように指示することを継続するように指示するのに用いられ、
又は、
ＡＰによって送られた任意の１回のＴＦに対応するアップリンク伝送では、各ステーションによって伝送される全ての集約データのうち、プライマリＡＣのデータを含む集約データの全ての指示フィールドが０であるとき、指示フィールドは、ＡＰに、次に配信されるＴＦにおいて、ステーションに次のアップリンク伝送時にセカンダリＡＣのデータを集約するように指示するように指示するのに用いられる。
【０１６９】
更に、指示フィールドが、ＡＰに、次に配信されるＴＦにおいて、ステーションに次のアップリンク伝送時にセカンダリＡＣのデータを集約するように指示するように指示するのに用いられることは、具体的には、
指示フィールドが、ＡＰに、次に送られるＴＦにおいて、ステーションに、次のアップリンク伝送時に、優先度がプライマリＡＣの優先度よりも高いセカンダリＡＣのデータを集約するように指示するように指示するのに用いられること、
又は、
指示フィールドが、ＡＰに、次に送られるＴＦにおいて、ステーションに、次のアップリンク伝送時に最も優先度の高いセカンダリＡＣのデータを集約するように指示するように指示するのに用いられること、を含む。
【０１７０】
任意に、第１の集約モジュール１３は更に、第２の決定モジュール１２がプライマリＡＣの送信対象データがないと決定したとき、少なくとも１つのセカンダリＡＣのデータを集約するように構成される。
【０１７１】
更に、第１の集約モジュール１３は、具体的には、第２の決定モジュール１２が、ＴＦの指示に従って、プライマリＡＣの送信対象データがないと決定したとき、優先度がプライマリＡＣの優先度よりも高いセカンダリＡＣのデータを集約するように構成され、又は、第２の決定モジュール１２が、ＴＦの指示に従って、プライマリＡＣの送信対象データがないと決定したとき、少なくとも１つのセカンダリＡＣの中で最も優先度の高いセカンダリＡＣのデータを集約するように構成される。
【０１７２】
本発明の本実施形態で提供されるステーションは、第３の方法実施形態を実行することができる。その実施原理及び技術的効果は、第３の方法実施形態のものと同様であり、ここでは詳細の説明を省略する。
【０１７３】
図１５は、本発明の実施形態に係る第３のステーション実施形態の概略構造図である。図１３に示される実施形態に基づいて、ステーションは更に、第２の集約モジュール１４を備えてよい。
【０１７４】
送受信モジュール１０は更に、現在の伝送機会（ＴＸＯＰ）内にステーションのプライマリＡＣのデータを伝送する前に、無線アクセスポイント（ＡＰ）に第１のメッセージを送信し、プライマリＡＣの識別子を搬送しＡＰによって送信されたＴＦを受信するように構成される。第１のメッセージは、ＡＰが第１のメッセージに従ってトリガフレーム（ＴＦ）をステーションに送信できるように、ＡＰに対して、ステーションの各ＡＣの送信対象データがあるか否かを示すのに用いられる。ＴＦは、ステーションにプライマリＡＣのデータを集約するように指示するのに用いられる。
【０１７５】
第２の集約モジュール１４は、ＴＦに従ってプライマリＡＣのデータを集約して、第５の集約データを取得するように構成される。
【０１７６】
送受信モジュール１０が現在の伝送機会（ＴＸＯＰ）内にステーションのプライマリＡＣのデータを伝送するように構成されることは、送受信モジュール１０が、具体的には、ＴＸＯＰ内に第５の集約データをＡＰに送信するように構成されることを含む。
【０１７７】
更に、第５の集約データは、少なくとも１つのセカンダリＡＣのデータと、プライマリＡＣのデータの最後のＭＰＤＵとを含む。
【０１７８】
任意に、ステーションによって伝送される全ての集約データは指示フィールドを含む。ＡＰによって送られた任意の１回のＴＦに対応するアップリンク伝送では、各ステーションによって伝送される全ての集約データ全体がプライマリＡＣのデータから成り、且つ全ての集約データの指示フィールドが１であるとき、アップリンク伝送は、ＡＰに、次に配信されるＴＦにおいて、ステーションに、次のアップリンク伝送時にプライマリＡＣのデータの集約を指示することを継続することを指示するのに用いられ、
又は、
ＡＰによって送られた任意の１回のＴＦに対応するアップリンク伝送では、各ステーションによって伝送される全ての集約データにおいて、少なくとも１つの集約データがプライマリＡＣのデータを含み、且つプライマリＡＣのデータを含む集約データの指示フィールドが０であるとき、また、少なくとも１つの集約データがプライマリＡＣのデータを含み、且つプライマリＡＣのデータを含む集約データの指示フィールドが１であるとき、アップリンク伝送は、ＡＰに、次に配信されるＴＦにおいて、ステーションに、次のアップリンク伝送時にプライマリＡＣのデータの集約又はプライマリＡＣのデータ及びセカンダリＡＣのデータの集約を指示するように指示するのに用いられ、
又は、
ＡＰによって送られた任意の１回のＴＦに対応するアップリンク伝送では、各ステーションによって伝送される全ての集約データにおいて、少なくとも１つの集約データがプライマリＡＣのデータを含まないとき、また、少なくとも１つの集約データがプライマリＡＣのデータを含み、且つプライマリＡＣのデータを含む集約データの指示フィールドが１であるとき、アップリンク伝送は、ＡＰに、次に配信されるＴＦにおいて、ステーションに、次のアップリンク伝送時にプライマリＡＣのデータの集約又はプライマリＡＣのデータ及びセカンダリＡＣのデータの集約を指示するように指示するのに用いられ、
又は、
ＡＰによって送られた任意の１回のＴＦに対応するアップリンク伝送では、各ステーションによって伝送される全ての集約データにおいて、少なくとも１つの集約データがプライマリＡＣのデータを含み、且つプライマリＡＣのデータを含む集約データの指示フィールドが０であるとき、若しくは、どの集約データもプライマリＡＣのデータを含まないとき、アップリンク伝送は、ＡＰに、次に配信されるＴＦにおいて、ステーションに次のアップリンク伝送時にセカンダリＡＣのデータを集約するように指示するように指示するのに用いられる。
【０１７９】
任意に、ＡＰによって送られた任意の１回のＴＦに対応するアップリンク伝送では、各ステーションによって伝送される全ての集約データ全体がプライマリＡＣのデータから成るとき、アップリンク伝送は、ＡＰに、次に配信されるＴＦにおいて、ステーションに、次のアップリンク伝送時にプライマリＡＣのデータの集約を指示することを継続することを指示するのに用いられ、
又は、
ＡＰによって送られた任意の１回のＴＦに対応するアップリンク伝送では、各ステーションによって伝送される全ての集約データにおいて、少なくとも１つの集約データ全体がプライマリＡＣのデータから成り、且つ少なくとも１つの集約データがセカンダリＡＣのデータを含むとき、アップリンク伝送は、ＡＰに、次に配信されるＴＦにおいて、ステーションが、次のアップリンク伝送時に、プライマリＡＣのデータ及びセカンダリＡＣのデータを集約するように指示するように指示するのに用いられ、
又は、
ＡＰによって送られた任意の１回のＴＦに対応するアップリンク伝送では、各ステーションによって伝送される全ての集約データがセカンダリＡＣのデータを含むとき、アップリンク伝送は、ＡＰに、次に配信されるＴＦにおいて、ステーションに、次のアップリンク伝送時に１つ以上のセカンダリＡＣのデータを集約するように指示するように指示するのに用いられる。
【０１８０】
本発明の本実施形態で提供されるステーションは、第４の方法実施形態を実行することができる。その実施原理及び技術的効果は、第４の方法実施形態のものと同様であり、ここでは詳細の説明を省略する。
【０１８１】
図１６は、本発明の実施形態に係る第４のステーション実施形態の概略構造図である。図１６に示されるように、ステーションは、送受信部２０及びプロセッサ２１を備えてよい。
【０１８２】
送受信部２０は、現在の伝送機会（ＴＸＯＰ）内にステーションのプライマリＡＣのデータを伝送するように構成される。ステーションの送信対象データは、プライマリＡＣのデータ及び少なくとも１つのセカンダリＡＣのデータを含む。
【０１８３】
プロセッサ２１は、プライマリＡＣのデータの送信が完了した後、ステーションにより、ＴＸＯＰに残り時間があるか否かを決定するように構成される。
【０１８４】
送受信部２０は更に、プロセッサ２１がＴＸＯＰに残り時間があると決定したとき、残り時間内に少なくとも１つのセカンダリＡＣのデータを伝送するように構成される。
【０１８５】
本発明の本実施形態で提供されるステーションは、第１の方法実施形態を実行することができる。その実施原理及び技術的効果は、第１の方法実施形態のものと同様であり、ここでは詳細の説明を省略する。
【０１８６】
任意に、送受信部２０が残り時間内に少なくとも１つのセカンダリＡＣのデータを伝送するように構成されることは、送受信部２０が、具体的には、ステーションの第１のセカンダリＡＣグループ内の第１のセカンダリＡＣの優先順位を決定し、残り時間内に、優先順位の高い順に、第１のセカンダリＡＣグループ内の第１のセカンダリＡＣのデータを順次伝送するように構成されることを含む。第１のセカンダリＡＣグループは少なくとも１つの第１のセカンダリＡＣを含み、第１のセカンダリＡＣは送信対象データに対応するセカンダリＡＣである。
【０１８７】
任意に、送受信部２０が残り時間内に少なくとも１つのセカンダリＡＣのデータを伝送するように構成されることは、送受信部２０が、具体的には、少なくとも１つのセカンダリＡＣから、優先度がプライマリＡＣの優先度よりも高い第２のセカンダリＡＣグループを決定し、残り時間内に第２のセカンダリＡＣグループのデータを伝送するように構成されることを含む。第２のセカンダリＡＣグループは少なくとも１つの第２のセカンダリＡＣを含み、第２のセカンダリＡＣは送信対象データに対応するセカンダリＡＣである。
更に、送受信部２０が具体的には残り時間内に第２のセカンダリＡＣグループのデータを伝送するように構成されることは、
送受信部２０が、具体的には、第２のセカンダリＡＣグループ内の各第２のセカンダリＡＣの優先度を決定し、残り時間内に、第２のセカンダリＡＣの優先度の高い順に、第２のセカンダリＡＣのデータを順次伝送するように構成されることを含む。
【０１８８】
本発明の本実施形態で提供されるステーションは、第１の方法実施形態の２つの可能な実施を実行することができる。その実施原理及び技術的効果は、第１の方法実施形態のものと同様であり、ここでは詳細の説明を省略する。
【０１８９】
任意に、送受信部２０が現在の伝送機会（ＴＸＯＰ）内にステーションのプライマリＡＣのデータを伝送するように構成されることは、
送受信部２０が、具体的には、ＴＸＯＰ内にステーションの第１の集約データを伝送するように構成されることを含む。第１の集約データは、少なくとも１つのセカンダリＡＣのデータと、プライマリＡＣのデータの最後の媒体アクセス制御プロトコルデータユニット（ＭＰＤＵ）とを含む。
【０１９０】
送受信部２０が残り時間内に少なくとも１つのセカンダリＡＣのデータを伝送するように構成されることは、送受信部２０が、具体的には、残り時間内に第２の集約データを伝送するように構成されることを含む。第２の集約データは、少なくとも１つのセカンダリＡＣの中で最も優先度の高い第３のセカンダリＡＣのデータの最後のＭＰＤＵと、第３のセカンダリＡＣ以外のセカンダリＡＣのデータとを含む。
【０１９１】
更に、送受信部２０が残り時間内に少なくとも１つのセカンダリＡＣのデータを伝送するように構成されることは、送受信部２０が、具体的には、残り時間内に第３の集約データを伝送するように構成されることを含む。第３の集約データは、セカンダリＡＣの優先度の高いトラフィック識別子（ＴＩＤ）に対応するデータの最後のＭＰＤＵと、セカンダリＡＣの優先度の低いＴＩＤに対応するデータの少なくとも１つのＭＰＤＵとを含む。
【０１９２】
本発明の本実施形態で提供されるステーションは、第２の方法実施形態を実行することができる。その実施原理及び技術的効果は、第２の方法実施形態のものと同様であり、ここでは詳細の説明を省略する。
【０１９３】
任意に、送受信部２０は更に、現在の伝送機会（ＴＸＯＰ）内にステーションのプライマリＡＣのデータを伝送する前に、プライマリＡＣの識別子を搬送し無線アクセスポイント（ＡＰ）によって送信されたトリガフレーム（ＴＦ）を受信するように構成される。ＴＦは、ステーションにプライマリＡＣのデータを集約するように指示するのに用いられる。
【０１９４】
プロセッサ２１は更に、ＴＦの指示に従って、プライマリＡＣの送信対象データがあるか否かを決定し、プライマリＡＣの送信対象データがあると決定したとき、プライマリＡＣのデータを集約して第４の集約データを取得するように構成される。
【０１９５】
送受信部２０が現在の伝送機会（ＴＸＯＰ）内にステーションのプライマリＡＣのデータを伝送するように構成されることは、
送受信部２０が、具体的には、ＴＸＯＰ内に第４の集約データをＡＰに送信するように構成されることを含む。
【０１９６】
更に、第４の集約データは、少なくとも１つのセカンダリＡＣのデータと、プライマリＡＣのデータの最後のＭＰＤＵとを含む。
【０１９７】
ＡＰによって送られた任意の１回のＴＦに対応するアップリンク伝送では、各ステーションによって伝送される全ての集約データにおいて、少なくとも１つの集約データ全体がプライマリＡＣのデータから成る場合、アップリンク伝送は、ＡＰに、次に配信されるＴＦにおいて、ステーションに次のアップリンク伝送時にプライマリＡＣのデータの集約を継続するように指示することを継続するように指示するのに用いられ、
又は、
ＡＰによって送られた任意の１回のＴＦに対応するアップリンク伝送では、各ステーションによって伝送される全ての集約データがセカンダリＡＣのデータを含むとき、アップリンク伝送は、ＡＰに、次に配信されるＴＦにおいて、ステーションに次のアップリンク伝送時にセカンダリＡＣのデータを集約するように指示するように指示するのに用いられる。
【０１９８】
更に、ステーションによって伝送される全ての集約データは指示フィールドを含み、
ＡＰによって送られた任意の１回のＴＦに対応するアップリンク伝送では、各ステーションによって伝送される全ての集約データにおいて、少なくとも１つの集約データ全体がプライマリＡＣのデータから成り、且つ少なくとも１つの集約データの指示フィールドが１であるとき、指示フィールドは、ＡＰに、次に配信されるＴＦにおいて、ステーションに次のアップリンク伝送時にプライマリＡＣのデータの集約を継続するように指示することを継続するように指示するのに用いられ、
又は、
ＡＰによって送られた任意の１回のＴＦに対応するアップリンク伝送では、各ステーションによって伝送される全ての集約データのうち、プライマリＡＣのデータを含む集約データの全ての指示フィールドが０であるとき、指示フィールドは、ＡＰに、次に配信されるＴＦにおいて、ステーションに次のアップリンク伝送時にセカンダリＡＣのデータを集約するように指示するように指示するのに用いられる。
【０１９９】
更に、指示フィールドが、ＡＰに、次に配信されるＴＦにおいて、ステーションに次のアップリンク伝送時にセカンダリＡＣのデータを集約するように指示するように指示するのに用いられることは、具体的には、
指示フィールドが、ＡＰに、次に送られるＴＦにおいて、ステーションに、次のアップリンク伝送時に、優先度がプライマリＡＣの優先度よりも高いセカンダリＡＣのデータを集約するように指示するように指示するのに用いられること、
又は、
指示フィールドが、ＡＰに、次に送られるＴＦにおいて、ステーションに、次のアップリンク伝送時に最も優先度の高いセカンダリＡＣのデータを集約するように指示するように指示するのに用いられること、を含む。
【０２００】
任意に、プロセッサ２１は更に、プライマリＡＣの送信対象データがないと決定したとき、少なくとも１つのセカンダリＡＣのデータを集約するように構成される。
【０２０１】
更に、プロセッサ２１は、具体的には、ＴＦの指示に従ってプライマリＡＣの送信対象データがないと決定したとき、優先度がプライマリＡＣの優先度よりも高いセカンダリＡＣのデータを集約するように構成され、又は、ＴＦの指示に従ってプライマリＡＣの送信対象データがないと決定したとき、少なくとも１つのセカンダリＡＣの中で最も優先度の高いセカンダリＡＣのデータを集約するように構成される。
【０２０２】
本発明の本実施形態で提供されるステーションは、第３の方法実施形態を実行することができる。その実施原理及び技術的効果は、第３の方法実施形態のものと同様であり、ここでは詳細の説明を省略する。
【０２０３】
任意に、送受信部２０は更に、現在の伝送機会（ＴＸＯＰ）内にステーションのプライマリＡＣのデータを伝送する前に、無線アクセスポイント（ＡＰ）に第１のメッセージを送信し、プライマリＡＣの識別子を搬送しＡＰによって送信されたＴＦを受信するように構成される。第１のメッセージは、ＡＰが第１のメッセージに従ってトリガフレーム（ＴＦ）をステーションに送信できるように、ＡＰに対して、ステーションの各ＡＣの送信対象データがあるか否かを示すのに用いられる。ＴＦは、ステーションにプライマリＡＣのデータを集約するように指示するのに用いられる。
【０２０４】
プロセッサ２１は更に、ＴＦに従ってプライマリＡＣのデータを集約して、第５の集約データを取得するように構成される。
【０２０５】
送受信部２０が現在の伝送機会（ＴＸＯＰ）内にステーションのプライマリＡＣのデータを伝送するように構成されることは、
送受信部２０が、具体的には、ＴＸＯＰ内に第５の集約データをＡＰに送信するように構成されることを含む。
【０２０６】
更に、第５の集約データは、少なくとも１つのセカンダリＡＣのデータと、プライマリＡＣのデータの最後のＭＰＤＵとを含む。
【０２０７】
任意に、ステーションによって伝送される全ての集約データは指示フィールドを含む。ＡＰによって送られた任意の１回のＴＦに対応するアップリンク伝送では、各ステーションによって伝送される全ての集約データ全体がプライマリＡＣのデータから成り、且つ全ての集約データの指示フィールドが１であるとき、アップリンク伝送は、ＡＰに、次に配信されるＴＦにおいて、ステーションに、次のアップリンク伝送時にプライマリＡＣのデータの集約を指示することを継続することを指示するのに用いられ、
又は、
ＡＰによって送られた任意の１回のＴＦに対応するアップリンク伝送では、各ステーションによって伝送される全ての集約データにおいて、少なくとも１つの集約データがプライマリＡＣのデータを含み、且つプライマリＡＣのデータを含む集約データの指示フィールドが０であるとき、また、少なくとも１つの集約データがプライマリＡＣのデータを含み、且つプライマリＡＣのデータを含む集約データの指示フィールドが１であるとき、アップリンク伝送は、ＡＰに、次に配信されるＴＦにおいて、ステーションに、次のアップリンク伝送時にプライマリＡＣのデータの集約又はプライマリＡＣのデータ及びセカンダリＡＣのデータの集約を指示するように指示するのに用いられ、
又は、
ＡＰによって送られた任意の１回のＴＦに対応するアップリンク伝送では、各ステーションによって伝送される全ての集約データにおいて、少なくとも１つの集約データがプライマリＡＣのデータを含まないとき、また、少なくとも１つの集約データがプライマリＡＣのデータを含み、且つプライマリＡＣのデータを含む集約データの指示フィールドが１であるとき、アップリンク伝送は、ＡＰに、次に配信されるＴＦにおいて、ステーションに、次のアップリンク伝送時にプライマリＡＣのデータの集約又はプライマリＡＣのデータ及びセカンダリＡＣのデータの集約を指示するように指示するのに用いられ、
又は、
ＡＰによって送られた任意の１回のＴＦに対応するアップリンク伝送では、各ステーションによって伝送される全ての集約データにおいて、少なくとも１つの集約データがプライマリＡＣのデータを含み、且つプライマリＡＣのデータを含む集約データの指示フィールドが０であるとき、若しくは、どの集約データもプライマリＡＣのデータを含まないとき、アップリンク伝送は、ＡＰに、次に配信されるＴＦにおいて、ステーションに次のアップリンク伝送時にセカンダリＡＣのデータを集約するように指示するように指示するのに用いられる。
【０２０８】
任意に、ＡＰによって送られた任意の１回のＴＦに対応するアップリンク伝送では、各ステーションによって伝送される全ての集約データ全体がプライマリＡＣのデータから成るとき、アップリンク伝送は、ＡＰに、次に配信されるＴＦにおいて、ステーションに、次のアップリンク伝送時にプライマリＡＣのデータの集約を指示することを継続することを指示するのに用いられ、
又は、
ＡＰによって送られた任意の１回のＴＦに対応するアップリンク伝送では、各ステーションによって伝送される全ての集約データにおいて、少なくとも１つの集約データ全体がプライマリＡＣのデータから成り、且つ少なくとも１つの集約データがセカンダリＡＣのデータを含むとき、アップリンク伝送は、ＡＰに、次に配信されるＴＦにおいて、ステーションが、次のアップリンク伝送時に、プライマリＡＣのデータ及びセカンダリＡＣのデータを集約するように指示するように指示するのに用いられ、
又は、
ＡＰによって送られた任意の１回のＴＦに対応するアップリンク伝送では、各ステーションによって伝送される全ての集約データがセカンダリＡＣのデータを含むとき、アップリンク伝送は、ＡＰに、次に配信されるＴＦにおいて、ステーションに、次のアップリンク伝送時に１つ以上のセカンダリＡＣのデータを集約するように指示するように指示するのに用いられる。
【０２０９】
本発明の本実施形態で提供されるステーションは、第4の方法実施形態を実行することができる。その実施原理及び技術的効果は、第4の方法実施形態のものと同様であり、ここでは詳細の説明を省略する。
【０２１０】
上述の実施形態で述べられたように、本発明の実施形態における非ＡＰステーションは、無線通信チップ、無線センサ又は無線通信端末であってよい。したがって、非ＡＰステーションが携帯電話であることを例として用いる。図１７は、本発明の実施形態において提供される端末として用いられる携帯電話の部分構造のブロック図を示す。図１７を参照すると、携帯電話は、無線周波数（Radio  Frequency、ＲＦ）回路１１１０、メモリ１１２０、入力部１１３０、表示部１１４０、センサ１１５０、可聴周波数回路１１６０、無線フィデリティ（Wireless  Fidelity、ＷｉＦｉ）モジュール１１７０、プロセッサ１１８０及び電源１１９０を含む。当業者であれば理解できるように、図１７に示される携帯電話の構造は携帯電話に限定されず、携帯電話は、図に示されるものよりも多いか或いは少ない構成要素、一部の構成要素の組合わせ、又は異なる配置の構成要素を含んでよい。
【０２１１】
以下、図１７を参照して、携帯電話の各構成部を詳細に説明する。
【０２１２】
ＲＦ回路１１１０は、情報の受信及び送信プロセス又は呼プロセスにおいて信号を受信及び送信するように構成されてよく、特に、基地局のダウンリンク情報を受信した後、処理のためにダウンリンク情報をプロセッサ１１８０に送信し、加えて、アップリンクデータを基地局に送信するように構成されてよい。一般に、ＲＦ回路は、アンテナ、少なくとも１つの増幅器、送受信部、カプラ、低雑音増幅器（Low  Noise  Amplifier、ＬＮＡ）及びデュプレクサを含むが、これに限定されない。加えて、ＲＦ回路１１１０は、無線通信により、ネットワーク及び別のデバイスと通信してもよい。無線通信の場合、ＧＳＭ（Global  System  for  Mobile  Communications）、汎用パケット無線サービス（General  Packet  Radio  Service、ＧＰＲＳ）、符号分割多元接続（Code  Division  Multiple  Access、ＣＤＭＡ）、広帯域符号分割多元接続（Wideband  Code  Division  Multiple  Access、ＷＣＤＭＡ）、ロングタームエボリューション（Long  Term  Evolution、ＬＴＥ）など、任意の通信規格又はプロトコルが用いられてよい。
【０２１３】
メモリ１１２０は、ソフトウェアプログラム及びモジュールを記憶するように構成されてよい。プロセッサ１１８０は、メモリ１１２０に記憶されているソフトウェアプログラム及びモジュールを実行することにより、携帯電話の各種アプリケーション機能及びデータ処理を実行する。メモリ１１２０は、主にプログラム記憶領域及びデータ記憶領域を含んでよい。プログラム記憶領域は、オペレーティングシステムや、少なくとも１つの機能（音声再生機能や画像表示機能など）に必要とされるアプリケーションプログラムなどを記憶することができる。データ記憶領域は、携帯電話の使用に応じて作成されたデータ（音声データや電話帳など）を記憶することができる。加えて、メモリ１１２０は高速ランダムアクセスメモリを含んでよく、更に、少なくとも１つの磁気ディスク記憶デバイス、フラッシュメモリデバイス、或いは別の揮発性ソリッドステート記憶デバイスなどの不揮発性メモリを含んでよい。
【０２１４】
入力部１１３０は、入力された数字又は文字の情報を受信し、携帯電話１１００のユーザ設定及び機能制御に関するキー信号入力を生成するように構成されてよい。具体的には、入力部１１３０は、タッチパネル１１３１及び別の入力デバイス１１３２を含んでよい。タッチパネル１１３１は、タッチ画面とも呼ばれ、ユーザがタッチパネル１１３１上又はその付近でおこなったタッチ操作（ユーザが、タッチパネル１１３１上又はタッチパネル１１３１付近で、指やスタイラスなどの任意の適切な物体や付属品を用いておこなう操作など）を受け付け、予め設定されたプログラムに従って、対応する接続装置を駆動することができる。任意に、タッチパネル１１３１は、タッチ検出装置とタッチコントローラの２つの部分を含んでよい。タッチ検出装置は、ユーザのタッチ方向を検出し、タッチ操作によって生成された信号を検出し、その信号をタッチコントローラに送信する。タッチコントローラは、タッチ検出装置からタッチ情報を受信し、タッチ情報を接触座標に変換し、接触座標をプロセッサ１１８０に送信し、プロセッサ１１８０によって送信されたコマンドを受信し、コマンドを実行する。加えて、タッチパネル１１３１は、抵抗型、容量型、赤外線型、表面弾性波型などの複数のタイプを用いて実現することができる。入力部１１３０は、タッチパネル１１３１の他に、別の入力デバイス１１３２を含んでよい。具体的には、別の入力デバイス１１３２は、物理キーボード、ファンクションキー（音量調節キーやオン／オフキーなど）、トラックボール、マウス、ジョイスティックのうち１つ以上を含んでよいが、これに限定されない。
【０２１５】
表示部１１４０は、ユーザによって入力された情報又はユーザに対して提供された情報と、携帯電話の各種メニューを表示するように構成されてよい。表示部１１４０は、表示パネル１１４１を含んでよい。任意に、表示パネル１１４１は、液晶ディスプレイ（Liquid  Crystal  Display、ＬＣＤ）、有機発光ダイオード（Organic  Light-Emitting  Diode、ＯＬＥＤ）などの形態で構成されてよい。更に、タッチパネル１１３１は、表示パネル１１４１を覆ってよい。タッチパネル１１３１上又はその付近のタッチ操作を検出した後、タッチパネル１１３１は、タッチ操作についての情報をプロセッサ１１８０に送信して、タッチイベントのタイプを決定し、次にプロセッサ１１８０は、タッチイベントのタイプに従って、対応する視覚出力を表示パネル１１４１上に提供する。図７において、タッチパネル１１３１と表示パネル１１４１とは、携帯電話の入出力機能を実現するための２つの独立した構成要素として用いられている。しかしながら、一部の実施形態では、携帯電話の入出力機能を実現するために、タッチパネル１１３１と表示パネル１１４１とは一体化されてよい。
【０２１６】
携帯電話は更に、光センサ、動きセンサ、その他のセンサなど、少なくとも１つのセンサ１１５０を備えてよい。具体的には、光センサは、周囲光センサ及び近接センサを含んでよい。周囲光センサは、周囲光の明るさに応じて表示パネル１１４１の輝度を調整することができ、近接センサは、携帯電話が耳に近付いたときに、表示パネル１１４１をオフに、且つ／又はバックライトをオフにすることができる。運動センサの一種として、加速度センサは、方向（一般に３軸）における加速度の値を検出することができ、静的な状態で、重力の値及び方向を検出することができ、携帯電話の姿勢（風景モードと人物モードの画面の切り替え、関連ゲーム、磁力計の姿勢校正など）を識別するアプリケーション、振動識別関連機能（例えば、歩数計やタッピング）のために用いることができる。ジャイロスコープ、気圧計、湿度計、温度計、赤外線センサなど、携帯電話で構成できるその他のセンサについては、ここでは説明しない。
【０２１７】
可聴周波数回路１１６０、スピーカ１１６１及びマイク１１６２は、ユーザと携帯電話との間の音声インタフェースを提供することができる。可聴周波数回路１１６０は、受信された音声データの変換後に得られる電気信号をスピーカ１１６１に送信し、スピーカ１１６１は、電気信号を音信号に変換し、音信号を出力する。加えて、マイク１１６２は、集められた音信号を電気信号に変換し、可聴周波数回路１１６０は、電気信号を受信して音声データに変換し、音声データを処理のためにプロセッサ１１８０に出力する。そして、処理された音声データは、例えば、ＲＦ回路１１１０を用いて別の携帯電話に送信され、或いは、音声データは更なる処理のためにメモリ１１２０に出力される。
【０２１８】
ＷｉＦｉは、近距離無線伝送技術に属する。ＷｉＦｉモジュール１１７０を用いることにより、携帯電話は、ユーザが電子メールを送受信したり、ウェブページを閲覧したり、ストリーミングメディアにアクセスしたりできるようにすることができる。ＷｉＦｉモジュール１１７０は、ユーザにブロードバンドインターネットへの無線アクセスを提供する。図７はＷｉＦｉモジュール１１７０を示しているが、ＷｉＦｉモジュール１１７０は携帯電話の必須構成要素ではなく、本発明の本質的範囲を変更することなく、必要に応じて完全に省略することができる。
【０２１９】
プロセッサ１１８０は、携帯電話の制御中心であり、様々なインタフェース及び回線を用いて携帯電話全体の全ての部分に接続され、メモリ１１２０に記憶されたソフトウェアプログラム及び／又はモジュールを起動又は実行することにより、また、メモリ１１２０に記憶されたデータを呼び出すことにより、携帯電話の各種機能及びデータ処理を実行し、携帯電話に対して全体監視をおこなう。任意に、プロセッサ１１８０は、１つ以上の処理ユニットを含んでよい。好ましくは、プロセッサ１１８０には、アプリケーションプロセッサ及びモデムプロセッサが統合されてよい。アプリケーションプロセッサは主に、オペレーティングシステム、ユーザインタフェース、アプリケーションプログラムなどを処理し、モデムプロセッサは主に無線通信を処理する。モデムプロセッサは、代替として、プロセッサ１１８０に統合されなくてもよいことが理解できるであろう。
【０２２０】
携帯電話は更に、全ての構成要素に電力を供給する電源（例えばバッテリ）１１９０を備える。好ましくは、電源は、電力管理システムを用いて充放電管理や電力消費管理などの機能が実現されるように、電力管理システムを用いてプロセッサ１１８０と論理的に接続されてよい。
【０２２１】
携帯電話は更にカメラ１２００を備えてよい。カメラは正面カメラであってもよいし、背面カメラであってもよい。図示されていないが、携帯電話は更に、ブルートゥースモジュール、ＧＰＳモジュールなどを備えてよい。ここでは詳細は説明しない。
【０２２２】
本発明の本実施形態では、携帯電話に含まれるプロセッサ１１８０は、上述のデータ伝送方法実施形態を実行するように構成されてよい。その実施原理及び技術的効果は、上述のデータ伝送方法実施形態のものと同様であり、ここでは詳細の説明を省略する。
【０２２３】
最後に、留意すべきこととして、上述の実施形態は、本発明の技術的解決策を説明するためのものに過ぎず、本発明を限定するものではない。本発明は上述の実施形態を参照して詳細に説明されるが、当業者であれば理解できるように、当業者であれば、本発明の実施形態の技術的解決策の範囲から逸脱することなく、上述の実施形態に記載された技術的解決策に変更をおこなうことができ、或いは、その一部又は全部の技術的特徴に均等置換をおこなうことができるであろう。
【図１】
2019505116.tif 000003
【図２】
2019505116.tif 000004
【図３】
2019505116.tif 000005
【図４】
2019505116.tif 000006
【図５】
2019505116.tif 000007
【図６】
2019505116.tif 000008
【図７】
2019505116.tif 000009
【図８】
2019505116.tif 000010
【図９】
2019505116.tif 000011
【図１０】
2019505116.tif 000012
【図１１】
2019505116.tif 000013
【図１２】
2019505116.tif 000014
【図１３】
2019505116.tif 000015
【図１４】
2019505116.tif 000016
【図１５】
2019505116.tif 000017
【図１６】
2019505116.tif 000018
【図１７】
2019505116.tif 000019
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
ステーションが集約データを生成するステップと、
前記ステーションが、伝送機会（ＴＸＯＰ）内に前記集約データを伝送するステップであって、前記集約データは、プライマリＡＣのデータと、少なくとも１つのセカンダリＡＣのデータとを含む、ステップと、
を含むデータ伝送方法。
【請求項２】
前記少なくとも１つのセカンダリＡＣのデータは、優先度が前記プライマリＡＣの優先度よりも高いＡＣに対応するキャッシュキューに記憶されたデータを含む、
請求項１に記載の方法。
【請求項３】
前記集約データは、少なくとも１つのセカンダリＡＣのデータと、前記プライマリＡＣの前記データの最後の媒体アクセス制御プロトコルデータユニット（ＭＰＤＵ）とを含む、
請求項１又は２に記載の方法。
【請求項４】
ステーションが集約データを生成するステップの前に、
前記プライマリＡＣについて前記伝送機会を取得するステップ、
を含む、請求項１乃至３のいずれか一項に記載の方法。
【請求項５】
前記集約データはＭＡＣプロトコルデータユニット（Ａ−ＭＰＤＵ）である、
請求項１乃至４のいずれか一項に記載の方法。
【請求項６】
非ＡＰステーションが、プライマリＡＣの識別子を搬送するトリガフレームを受信するステップであって、前記トリガフレームは、前記非ＡＰステーションに前記プライマリＡＣのデータを集約するように指示するのに用いられる、ステップと、
非ＡＰステーションが集約データを生成するステップであって、前記集約データは、プライマリＡＣのデータと、少なくとも１つのセカンダリＡＣのデータとを含む、ステップと、
前記非ＡＰステーションが、伝送機会（ＴＸＯＰ）内に前記集約データを伝送するステップと、
を含むデータ伝送方法。
【請求項７】
前記集約データはＭＡＣプロトコルデータユニット（Ａ−ＭＰＤＵ）である、
請求項６に記載の方法。
【請求項８】
集約データを生成するように構成される生成モジュールと、
伝送機会（ＴＸＯＰ）内に前記集約データを伝送するように構成される伝送モジュールであって、前記集約データは、プライマリＡＣのデータと、少なくとも１つのセカンダリＡＣのデータとを含む、伝送モジュールと、
を備えるステーション。
【請求項９】
前記少なくとも１つのセカンダリＡＣのデータは、優先度が前記プライマリＡＣの優先度よりも高いＡＣに対応するキャッシュキューに記憶されたデータを含む、
請求項８に記載のステーション。
【請求項１０】
前記集約データは、少なくとも１つのセカンダリＡＣのデータと、前記プライマリＡＣの前記データの最後の媒体アクセス制御プロトコルデータユニット（ＭＰＤＵ）とを含む、
請求項８又は９に記載のステーション。
【請求項１１】
前記プライマリＡＣについて前記伝送機会を取得するように構成される取得モジュール、
を備える、請求項８乃至１０のいずれか一項に記載のステーション。
【請求項１２】
前記集約データはＭＡＣプロトコルデータユニット（Ａ−ＭＰＤＵ）である、
請求項８乃至１１のいずれか一項に記載のステーション。
【請求項１３】
非ＡＰステーションであって、
プライマリＡＣの識別子を搬送するトリガフレームを受信するように構成される受信モジュールであって、前記トリガフレームは、前記非ＡＰステーションに前記プライマリＡＣのデータを集約するように指示するのに用いられる、受信モジュールと、
集約データを生成するように構成される生成モジュールであって、前記集約データは、プライマリＡＣのデータと、少なくとも１つのセカンダリＡＣのデータとを含む、生成モジュールと、
伝送機会（ＴＸＯＰ）内に前記集約データを伝送するように構成される伝送モジュールと、
を備える非ＡＰステーション。
【請求項１４】
前記集約データはＭＡＣプロトコルデータユニット（Ａ−ＭＰＤＵ）である、
請求項１３に記載の非ＡＰステーション。
【請求項１５】
請求項１乃至５のいずれか一項に記載の方法をコンピュータに実行させるプログラム。
【請求項１６】
請求項１５に記載のプログラムを記録したコンピュータ可読記憶媒体。
【請求項１７】
請求項６乃至７のいずれか一項に記載の方法をコンピュータに実行させるプログラム。
【請求項１８】
請求項１７に記載のプログラムを記録したコンピュータ可読記憶媒体。
【国際調査報告】
2019505116.tif 000020
2019505116.tif 000021
2019505116.tif 000022
2019505116.tif 000023
2019505116.tif 000024
2019505116.tif 000025